(57)【特許請求の範囲】
【請求項１】
排水路と、該排水路の水位よりも高い水位を有する貯水池に魚類を遡上させるための魚道を含み、該魚道を、水路部材の複数を順次接合して構成した貯水池への魚類遡上構造であって、
前記水路部材は、その水路の上流側部と下流側部に、上流側開口と下流側開口を具え、上流側に設置された該水路部材の下流側開口が、下流側に設置された該水路部材の上流側開口に連通するように水路部材相互が接合されると共に、最上流側に設置された前記水路部材の上流側開口が前記貯水池に連通され、且つ最下流側に設置された前記水路部材の下流側開口が前記排水路に連通されており、又、前記水路部材の水路の下流側部位に、水路水を嵩上げする堰板が着脱可能に装着され、該堰板の越流部を、下流側の水位に対して魚類が遡上可能な高さに設定したことを特徴とする魚類遡上構造。
【請求項２】
前記水路部材は、上端開放で且つ上流端から下流端に向かう連続する水路を有したＵ字溝状に形成されると共に、その上流側の水路幅が拡大され、該水路部材の下流側をなす接合部を嵌め入れるための接合嵌合部とされており、該接合部が該接合嵌合部に嵌め入れられた状態において、前記接合部の前記接合嵌合部に対する、水路部材の長さ方向で見た挿入量を調節可能となされ、又該水路部材の水路の下流側部位に、前記堰板を着脱可能に嵌め入れるためのガイド部が設けられており、上流側に設置された水路部材の前記接合部が、下流側に設置された水路部材の前記接合嵌合部に嵌め入れられると共に、前記ガイド部に前記堰板が嵌め入れられていることを特徴とする請求項１記載の魚類遡上構造。
【請求項３】
前記水路部材の上流側の部分の水路の底部に、上流側に設置された水路部材の前記接合部の下面を下方から支持する支持台が突設されていることを特徴とする請求項２記載の魚類遡上構造。
【請求項４】
排水路と、該排水路の水位よりも高い水位を有する貯水池に魚類を遡上させるための魚道を含み、該魚道を、水路部材の複数を順次接合して構成した貯水池への魚類遡上構造であって、
前記水路部材は、上端開放で且つ上流端から下流端に向かう連続する水路を有したＵ字溝状に形成されると共に、その上流側の水路幅が拡大され、該水路部材の下流側をなす接合部を嵌め入れるための接合嵌合部とされており、又該水路部材の水路の下流側部位の対向側面と底面に、水路水を嵩上げする堰板を着脱可能に嵌め入れるための嵌入溝が設けられ、又、前記水路部材の上流側の部分の水路の底部に、上流側に設置された水路部材の前記接合部の下面を下方から支持する支持台が突設され、更に、前記水路部材の水路の上流側部位の対向側面と底面に、前記貯水池の水を嵩上げする堰板を着脱可能に嵌め入れるための嵌入溝が設けられており、
上流側に設置された水路部材の前記接合部が、下流側に設置された水路部材の前記接合嵌合部に、該接合部を前記支持台に載せた状態で嵌め入れられると共に、最上流側に設置された前記水路部材の上流側開口が前記貯水池に連通され、且つ最下流側に設置された前記水路部材の下流側開口が前記排水路に連通されており、
又、前記各嵌入溝に嵌め入れられた堰板の越流部を、下流側の水位に対して魚類が遡上可能な高さに設定したことを特徴とする魚類遡上構造。
【請求項５】
前記支持台は、前記水路部材の上流側の部分の水路の底部に、水路の長さ方向の前後に所要間隔を置いて突設されており、より上流側に位置する支持台が、その下流側に位置する支持台よりも低い高さに設定されていることを特徴とする請求項３又は４記載の魚類遡上構造。
【請求項６】
前記支持台が前記水路部材と別体に形成され、該支持台が水路部材に後付けされることを特徴とする請求項３、４又は５記載の魚類遡上構造。
【請求項７】
前記後付けされる支持台は、所要高さの支持台片を複数段に積重して構成されることを特徴とする請求項６記載の魚類遡上構造。
【請求項８】
前記水路部材の水路の下流側部位に前記堰板を着脱可能に嵌め入れる際、該堰板の外周面の下流端側が、前記水路の下流端の内周面に当接し、該堰板の下流側の面が前記水路部材の下流端面と面一となるように構成されていることを特徴とする請求項２又は４記載の魚類遡上構造。
【請求項９】
排水路と、該排水路の水位よりも高い水位を有する貯水池に魚類を遡上させるための魚道を含み、該魚道を、水路部材の複数を順次接合して構成した貯水池への魚類遡上構造であって、
前記水路部材は、上端開放で且つ周方向の壁部で閉じられた有底の箱状に形成されると共に、該壁部の上流側部の所要部位と下流側部の所要部位に、上流側開口と下流側開口が設けられており、上流側に設置された水路部材の前記下流側開口が、下流側に設置された水路部材の前記上流側開口に連通するように水路部材相互が接合され、該両開口の連通部分に、水路水を嵩上げする堰板が着脱可能に装着されており、
又、最上流側に設置された前記水路部材の上流側開口が前記貯水池に連通され、且つ最下流側に設置された前記水路部材の下流側開口が前記排水路に連通されており、前記堰板の越流部を、下流側の水位に対して魚類が遡上可能な高さに設定したことを特徴とする魚類遡上構造。
【請求項１０】
上端開放で且つ周方向の壁部で閉じられた有底の箱状を呈する前記水路部材の前記上流側開口に、上流側に設置された前記水路部材の下流側部分が挿入され、その挿入量が調節可能となされると共に、前記水路部材の前記下流側開口に、下流側に設置された前記水路部材の上流側部分が挿入され、その挿入量が調節可能となされていることを特徴とする請求項９記載の魚類遡上構造。
【請求項１１】
上端開放で且つ周方向の壁部で閉じられた有底の箱状を呈する前記水路部材の水路に、前記上流側開口と前記下流側開口間を仕切るように、水路水を嵩上げする中間の堰板が着脱可能に装着され、該中間の堰板の越流部を、下流側の水位に対して魚類が遡上可能な高さに設定したことを特徴とする請求項９又は１０記載の魚類遡上構造。
【請求項１２】
上端開放で且つ周方向の壁部で閉じられた有底の箱状を呈する前記水路部材の水路に、前記上流側開口と前記下流側開口間を複数に仕切るように、水路水を嵩上げする中間の堰板の複数が着脱可能に装着され、該各中間の堰板の越流部を、下流側の水位に対して魚類が遡上可能な高さに設定したことを特徴とする請求項９又は１０記載の魚類遡上構造。
【請求項１３】
上端開放で且つ周方向の壁部で閉じられた有底の箱状を呈する前記水路部材の前記上流側開口と下流側開口は、該両開口を通過する水の流れ方向が屈曲するように前記壁部に設けられていることを特徴とする請求項９、１０、１１又は１２記載の魚類遡上構造。
【請求項１４】
前記堰板の、前記越流部の下流側が円弧面に形成されていることを特徴とする請求項１〜１３のいずれかに記載の魚類遡上構造。
【請求項１５】
前記堰板の、前記越流部の下流側が１３〜６０度の角度で下方に傾斜する傾斜面に形成されていることを特徴とする請求項１〜１３のいずれかに記載の魚類遡上構造。
【請求項１６】
排水路と、該排水路の水位よりも高い水位を有する水田に魚類を遡上させるための魚道を含む魚類遡上構造であって、
該魚道は、水路部材の複数を、前記排水路と前記水田との間をなす畦部の延長方向に順次接合して魚道本体を形成すると共に、該魚道本体を構成するために最下流側に設置された水路部材に設けた下流側開口に、前記排水路に連通され且つ地下埋設されたパイプ状の水路部材の上流側の端部分が接合される一方、前記魚道本体を構成する最上流側に設置された水路部材の上流側開口に、水田に結果的に連通される水路部材の下流側の端部分が接合されており、又、前記魚道本体を構成する前記水路部材の夫々に、水路水を嵩上げする堰板が着脱可能に装着され、該堰板の越流部を、下流側の水位に対して魚類が遡上可能な高さに設定したことを特徴とする魚類遡上構造。
【請求項１７】
排水路と、該排水路の水位よりも高い水位を有する水田に魚類を遡上させるための魚道を含む魚類遡上構造であって、
該魚道は、水路部材の複数を、前記排水路と前記水田との間をなす畦部の延長方向に順次接合して魚道本体を形成すると共に、該魚道本体を構成するために最下流側に設置された水路部材に設けた下流側開口に、前記排水路に連通され且つ地下埋設されたパイプ状の水路部材の上流側の端部分が接合される一方、前記魚道本体を構成する最上流側に設置された水路部材の上流側開口に、水田に結果的に連通され且つ地下埋設されたパイプ状の水路部材の下流側の端部分が接合されており、又、前記魚道本体を構成する前記水路部材の夫々に、水路水を嵩上げする堰板が着脱可能に装着され、該堰板の越流部を、下流側の水位に対して魚類が遡上可能な高さに設定したことを特徴とすることを特徴とする魚類遡上構造。
【請求項１８】
前記パイプ状水路部材は、略水平に配設されていることを特徴とする請求項１６又は１７記載の魚類遡上構造。
【請求項１９】
前記堰板に、前記魚道を流れる水に漂う魚類誘導用の紐状物の上端側が取り付けられていることを特徴とする請求項１〜１８のいずれかに記載の魚類遡上構造。
【請求項２０】
前記堰板は、水路部材に着脱可能に装着される堰板本体と該堰板本体に付設されるスライド調整板とからなり、該堰板本体は、上端開放の切欠部が設けられると共に、前記スライド調整板は、前記切欠部の下側部分を覆うように前記堰板本体に当接状態に且つ上下方向でスライド可能に付設されるものであり、該スライド調整板の上端が前記越流部とされ、該越流部が、下流側の水位に対して魚類が遡上可能な高さとなるように、該スライド調整板の上下方向のスライド状態を調整でき且つ該調整状態で該スライド調整板を前記堰板本体に固定可能としたことを特徴とする請求項１、２、４又は９、１６又は１７記載の魚類遡上構造。
【請求項２１】
前記魚道を遡上する魚類が魚道の外に飛び出すのを防止すると共に、遡上中の魚類が鳥類に捕食されるのを防止するために、魚道の上側を防止ネットや透明被覆材で覆うことを特徴とする請求項１、２、４、９、１６又は１７記載の魚類遡上構造。
【請求項２２】
前記防止ネット又は透明被覆材は、前記水路部材に立設状態に設けた支持枠に被せられて、前記魚道の上側を覆うことを特徴とする請求項２１記載の魚類遡上構造。
【請求項２３】
前記排水路に、該排水路を流れる水を嵩上げする隔壁が着脱可能に装着されており、該隔壁は、前記排水路に着脱可能に装着される隔壁本体と該隔壁本体に付設される調整板とからなり、該隔壁本体は、上端開放の切欠部が設けられると共に、前記調整板は、前記切欠部の下側部分を覆うように前記隔壁本体に当接状態に且つ上下方向でスライド可能に付設されるものであり、該調整板の上端が前記越流部とされ、該越流部が、下流側の水位に対して魚類が遡上可能な高さとなるように、該調整板の上下方向のスライド状態を調整でき且つ該調整状態で該調整板を前記隔壁本体に固定可能としたことを特徴とする請求項１、２、４、９、１６又は１７記載の魚類遡上構造。
【請求項２４】
前記排水路に、該排水路を流れる水を嵩上げする隔壁が装着されており、該隔壁は、前記排水路における水の流れ方向に延長し且つ前記排水路の幅に略等しい幅を有する底板の上流側の端部に前板が立設されると共に、該底板の下流側の端部に後板が立設されてなる洗掘防止ブロックの該前板を以って形成されており、該前板の一部分が、下流側の水位に対して魚類が遡上可能な高さに設定された越流部とされていることを特徴とする請求項１、２、４、９、１６又は１７記載の魚類遡上構造。
【請求項２５】
前記隔壁となる前板は、その一部をなす隔壁本体と、該隔壁本体に付設される調整板とからなり、該隔壁本体は、上端開放の切欠部が設けられると共に、前記調整板は、前記切欠部の下側部分を覆うように前記隔壁本体に当接状態に且つ上下方向でスライド可能に付設されるものであり、該調整板の上端が前記越流部とされ、該越流部が、下流側の水位に対して魚類が遡上可能な高さとなるように、該調整板の上下方向のスライド状態を調整でき且つ該調整状態で該調整板を前記隔壁本体に固定可能としたことを特徴とする請求項２４記載の魚類遡上構造。
【請求項２６】
前記排水路に、前記魚道の下流側に位置させて洗掘防止ブロックが配設され、該洗掘防止ブロックは、前記排水路における水の流れ方向に延長し且つ前記排水路の幅に略等しい幅を有する底板の上流側の端部に、該排水路を流れる水を嵩上げする隔壁として機能する前板が立設されると共に、該底板の下流側の端部に後板が立設されてなり、該前板の一部分が、下流側の水位に対して魚類が遡上可能な高さに設定された越流部とされ、且つ前記前板と後板との間をなす空所に濾過材が収容されていることを特徴とする請求項１、２、４、９、１６又は１７記載の魚類遡上構造。
【請求項２７】
前記越流部の下流側が円弧面に形成されていることを特徴とする請求項２３、２４、２５又は２６記載の魚類遡上構造。
【請求項２８】
前記越流部の下流側が、１３〜６０度の角度で下方に傾斜する傾斜面に形成されていることを特徴とする請求項２３、２４、２５又は２６記載の魚類遡上構造。
【請求項２９】
前記切欠部の下流側の縁部分が円弧面に形成されていることを特徴とする請求項２０記載の魚類遡上構造。
【請求項３０】
前記切欠部の下流側の縁部分を、１３〜６０度の角度で拡大するように、下流側に向けて傾斜する傾斜面に形成されていることを特徴とする請求項２０記載の魚類遡上構造。
【請求項３１】
前記切欠部の下流側の縁部分が円弧面に形成されていることを特徴とする請求項２３又は２５記載の魚類遡上構造。
【請求項３２】
前記切欠部の下流側の縁部分が、１３〜６０度の角度で拡大するように、下流側に向けて傾斜する傾斜面に形成されていることを特徴とする請求項２３又は２５記載の魚類遡上構造。
【請求項３３】
前記隔壁の、前記越流部の下側に位置させて水抜き孔を設けたことを特徴とする請求項２３、２４又は２５記載の魚類遡上構造。
【請求項３４】
前記排水路に、該排水路を流れる水を嵩上げする隔壁が着脱可能に装着され、該隔壁は、その一部分が、下流側の水位に対して魚類が遡上可能な高さに設定された越流部とされており、該越流部の下側に位置させて水抜き孔を設けたことを特徴とする請求項１、２、４、９、１６又は１７記載の魚類遡上構造。
【請求項３５】
前記排水路に、その幅方向に適宜間隔で、産卵育成用の水草状紐体が配置されており、該水草状紐体は、紐状体の一端に重りが設けられると共に、その他端に浮きが設けられ、該紐状体は、紐片の周面に５０〜１００ｍｍ程度の長さを有する毛片が多数設けられており、前記重りが前記排水路の底部に設置されていることを特徴とする請求項１、２、４、９、１６又は１７記載の魚類遡上構造。
【請求項３６】
排水路の水位よりも高い水位を有する貯水池に魚類を遡上させるための魚道を構成する水路部材であって、
上端開放で且つ上流端から下流端に向かう連続する水路を有したＵ字溝状に形成されると共に、その上流側の水路幅が拡大され、その下流側をなす接合部の全部又は一部を嵌め入れるための接合嵌合部が形成されており、又前記水路の下流側部位に、水路水を嵩上げする堰板を着脱可能に嵌め入れるためのガイド部が設けられ、又、前記水路の上流側の底部に、上流側に設置された水路部材の前記接合部の下面を下方から支持する支持台が突設されていることを特徴とする魚類遡上構造に用いる水路部材。
【請求項３７】
排水路の水位よりも高い水位を有する貯水池に魚類を遡上させるための魚道を構成する水路部材であって、
上端開放で且つ上流端から下流端に向かう連続する水路を有したＵ字溝状に形成されると共に、その上流側の水路幅が拡大され、その下流側をなす接合部の全部又は一部を嵌め入れるための接合嵌合部が形成されており、又前記水路の下流側部位に、その対向側面と底面に、水路水を嵩上げする堰板を着脱可能に嵌め入れるための嵌入溝が設けられ、又、前記水路の上流側の底部に、上流側に設置された水路部材の前記接合部の下面を下方から支持する支持台が突設されていることを特徴とする魚類遡上構造に用いる水路部材。
【請求項３８】
排水路の水位よりも高い水位を有する貯水池に魚類を遡上させるための魚道を構成する水路部材であって、
上端開放で且つ周方向の壁部で閉じられ、その内部が水路とされた有底の箱状に形成されると共に、該壁部の上流側の所要部位と下流側の所要部位に、上流側開口と下流側開口が設けられ、該上流側開口と下流側開口の内面に、水路水を嵩上げする堰板を着脱可能に嵌め入れるためのガイド部が設けられており、又、前記水路の内面に、前記上流側開口と下流側開口間を仕切るように、水路水を嵩上げする中間の堰板を着脱可能に嵌め入れるためのガイド部が設けられており、前記各堰板の越流部が、下流側の水位に対して魚類が遡上可能な高さに設定されていることを特徴とする魚類遡上構造に用いる水路部材。
【請求項３９】
排水路の水位よりも高い水位を有する貯水池に魚類を遡上させるための魚道を構成する水路部材であって、
上端開放で且つ周方向の壁部で閉じられ、その内部が水路とされた有底の箱状に形成されると共に、該壁部の上流側の所要部位と下流側の所要部位に、上流側開口と下流側開口が設けられ、該上流側開口と下流側開口の、対向側面と底面に、水路水を嵩上げする堰板を着脱可能に嵌め入れるための嵌入溝が設けられており、又、前記水路の、対向側面と底面に、前記上流側開口と下流側開口間を仕切るように、水路水を嵩上げする中間の堰板を着脱可能に嵌め入れるための嵌入溝が設けられており、前記各堰板の越流部が、下流側の水位に対して魚類が遡上可能な高さに設定されていることを特徴とする魚類遡上構造に用いる水路部材。
【請求項４０】
前記上流側開口と前記下流側開口間を複数に仕切るように、その対向側面と底面に、水路水を嵩上げする中間の堰板の複数を着脱可能に嵌め入れるためのガイド部が設けられており、前記各堰板の越流部が、下流側の水位に対して魚類が遡上可能な高さに設定されていることを特徴とする請求項３８記載の魚類遡上構造に用いる水路部材。
【請求項４１】
前記上流側開口と前記下流側開口間を複数に仕切るように、その対向側面と底面に、水路水を嵩上げする中間の堰板の複数を着脱可能に嵌め入れるための嵌入溝が設けられており、前記各堰板の越流部が、下流側の水位に対して魚類が遡上可能な高さに設定されていることを特徴とする請求項３９記載の魚類遡上構造に用いる水路部材。
【請求項４２】
前記水路部材の前記上流側開口と前記下流側開口は、該両開口を通過する水の流れ方向が屈曲するように前記壁部に設けられていることを特徴とする請求項３７、３８又は３９記載の魚類遡上構造に用いる水路部材。
【請求項４３】
前記堰板の前記越流部の下流側が円弧面に形成されていることを特徴とする請求項３６、３７、３８、３９又は４０記載の魚類遡上構造に用いる水路部材。
【請求項４４】
前記堰板の前記越流部の下流側が１３〜６０度の角度で下方に傾斜する傾斜面に形成されていることを特徴とする請求項３６、３７、３８、３９又は４０記載の魚類遡上構造に用いる水路部材。
【請求項４５】
前記堰板は、水路部材に着脱可能に装着される堰板本体と該堰板本体に付設されるスライド調整板とからなり、該堰板本体は、上端開放の切欠部が設けられると共に、前記スライド調整板は、前記切欠部の下側部分を覆うように前記堰板本体に当接状態に且つ上下方向でスライド可能に付設されるものであり、該スライド調整板の上端が前記越流部とされ、該越流部が、下流側の水位に対して魚類が遡上可能な高さとなるように、該スライド調整板の上下方向のスライド状態を調整でき且つ該調整状態で該スライド調整板を前記堰板本体に固定可能としたことを特徴とする請求項３６、３７、３８、３９又は４０記載の魚類遡上構造に用いる水路部材。
【発明の詳細な説明】
【０００１】
【発明の属する技術分野】
本発明は、排水路と、それよりも水位の高い水田や休耕田、溜め池、親水公園の池等としての貯水池との間に設けられ、該排水路から貯水池に無理なく魚類を遡上可能とする貯水池への魚類遡上構造に関するものであり、又該魚類遡上構造を構成する水路部材に関するものである。
【０００２】
【従来の技術】
近年、水田や休耕田等の貯水池への、鮒、鯉、鯰等の魚類の遡上を可能として、水田等を魚類の産卵繁殖・育成の場として活用することにより、生態系保全を達成せんとする試みが成されている。本出願人の一人も、特開２０００−１２００５２号において、淡水貯留池への魚類の遡上システムを提案した。
【０００３】
該遡上システムを構成する魚道は、図６７に示すように、淡水貯留池側ａが淡水貯留池ｂの水位より低位で且つ水路側ｃが水路ｄの水位より低位にある床部ｅと、この床部ｅの両側から夫々上方に立ち上がり且つ淡水貯留池ｂと水路ｄとを連通させる水の通路を形成する側壁ｆと、前記床部ｅと両側壁ｆ，ｆとにより構成される空間ｇ内に設けられ且つ上流側と下流側とを隔てると共に上流側の水を溢流させる越流部ｈとが設けられた隔壁ｊとを具える構成のものであった。
【０００４】
前記遡上システムは、その出願明細書に記載の通り、各隔壁の越流部を、下流側の水位に対して魚類が遡上可能な高さとなるように設計し、淡水貯留池の水位を略所定のレベルに維持して、水路側から淡水貯留池側に魚類を遡上させるようにしていたため、水路側から淡水貯留池側に魚類を容易に遡上させることができ、淡水貯留池における生物保全機能を向上させ、ビオトープに多様な生物を生息させることができるという大きな効果を奏するものであった。
【０００５】
【特許文献１】
特開２０００−１２００５２号公報（第４−７頁、第３図）
【０００６】
【非特許文献１】
「農業用排水路の生態系配慮型工法」、滋賀県農林土木コンクリート製品協会、平成１３年１２月２１日、Ｐ．２−６
【０００７】
【発明が解決しようとする課題】
しかしながら前記遡上システムによるときは、魚道の床部とこの床部の両側から立ち上がる側壁を、水路と淡水貯留池とを繋ぐように一連に形成していたため、魚道の構築が、現場打ち施工を主体としたものとなり、畦部等の幅や落差に応じた個別的な施工に多くの手間を要し施工コストの上昇を招くばかりか、工期が長引く問題があった。更に、前記一連構築の魚道によるときは、屈曲した魚道は構築しにくいことから、水路と淡水貯留池との間の落差が大きい場合、屈曲魚道によりこれに対応せんとしても、その施工が容易でない問題もあった。
【０００８】
又、前記床部ｅとその両側から夫々立ち上がる側壁ｆ，ｆとが一体のＵ字溝状ブロックとして構成される場合は、施工現場に応じた所定長さのブロックを個別的に設計製造しなければならず、型枠が高騰して製造コストの著しい上昇を招くことになる。加えて、長さの長いＵ字溝状ブロックは重量が大きくなり、施工現場への搬送が容易でなく又施工性を悪化させる問題も発生させることになる。
【０００９】
本発明は、主としてかかる問題点に鑑みて開発されたものであり、低水位の排水路から高水位の貯水池への魚類の遡上を容易に行わせ得るのはもとより、排水路の水位と貯水池の水位間の落差の程度に応じた適切な魚道を容易に形成できて施工能率の向上と施工コストの低減を期し得る、貯水池への魚類遡上構造の提供を課題とするものである。
【００１０】
又、魚類の遡上を可能とする越流部の高さ調整を施工現場に応じて適切に行うことのできる魚類遡上構造の提供を課題とするものであり、更に、魚類の遡上を誘発し易い魚類遡上構造の提供を課題とするものである。加えて、かかる魚道を合理的に構成できる水路部材の提供を課題とするものである。
【００１１】
【課題を解決するための手段】
前記課題を解決するため、本発明は以下の手段を採用する。
即ち本発明に係る魚類遡上構造は、排水路と、該排水路の水位よりも高い水位を有する貯水池に魚類を遡上させるための魚道を含み、該魚道を、水路部材の複数を順次接合して構成した貯水池への魚類遡上構造であって、前記水路部材は、その水路の上流側部と下流側部に、上流側開口と下流側開口を具え、上流側に設置された該水路部材の下流側開口が、下流側に設置された該水路部材の上流側開口に連通するように水路部材相互が接合されると共に、最上流側に設置された前記水路部材の上流側開口が前記貯水池に連通され、且つ最下流側に設置された前記水路部材の下流側開口が前記排水路に連通されている。又、前記水路部材の水路の下流側部位に、水路水を嵩上げする堰板が着脱可能に装着され、該堰板の越流部を、下流側の水位に対して魚類が遡上可能な高さに設定したことを特徴とするものである。
【００１２】
前記魚類遡上構造において、前記水路部材は、上端開放で且つ上流端から下流端に向かう連続する水路を有したＵ字溝状に形成すると共に、その上流側の水路幅を拡大し、該水路部材の下流側をなす接合部を嵌め入れるための接合嵌合部とし、該接合部が該接合嵌合部に嵌め入れられた状態において、前記接合部の前記接合嵌合部に対する、水路部材の長さ方向で見た挿入量を調節可能となし、又該水路部材の水路の下流側部位に、前記堰板を着脱可能に嵌め入れるためのガイド部を設け、上流側に設置された水路部材の前記接合部が、下流側に設置された水路部材の前記接合嵌合部に嵌め入れられたものとし、又前記ガイド部に前記堰板が嵌め入れられたものとするのがよい。
【００１３】
前記魚類遡上構造において、前記水路部材の上流側の部分の水路の底部に、上流側に設置された水路部材の前記接合部の下面を下方から支持する支持台を突設するのがよい。
【００１４】
本発明に係る魚類遡上構造のより好ましい態様は、排水路と、該排水路の水位よりも高い水位を有する貯水池に魚類を遡上させるための魚道を含み、該魚道を、水路部材の複数を順次接合して構成した貯水池への魚類遡上構造であって、前記水路部材は、上端開放で且つ上流端から下流端に向かう連続する水路を有したＵ字溝状に形成されると共に、その上流側の水路幅が拡大され、該水路部材の下流側をなす接合部を嵌め入れるための接合嵌合部とされている。又該水路部材の水路の下流側部位の対向側面と底面に、水路水を嵩上げする堰板を着脱可能に嵌め入れるための嵌入溝が設けられ、又、前記水路部材の上流側の部分の水路の底部に、上流側に設置された水路部材の前記接合部の下面を下方から支持する支持台が突設され、更に、前記水路部材の水路の上流側部位の対向側面と底面に、前記貯水池の水を嵩上げする堰板を着脱可能に嵌め入れるための嵌入溝が設けられている。又、上流側に設置された水路部材の前記接合部が、下流側に設置された水路部材の前記接合嵌合部に、該接合部を前記支持台に載せた状態で嵌め入れられると共に、最上流側に設置された前記水路部材の上流側開口が前記貯水池に連通され、且つ最下流側に設置された前記水路部材の下流側開口が前記排水路に連通されている。又、前記各嵌入溝に嵌め入れられた堰板の越流部を、下流側の水位に対して魚類が遡上可能な高さに設定したことを特徴とするものてある。
【００１５】
支持台を有する前記魚類遡上構造において、該支持台を、前記水路部材の上流側の部分の水路の底部に、水路の長さ方向の前後に所要間隔を置いて突設し、より上流側に位置する支持台を、その下流側に位置する支持台よりも低い高さに設定するのがよい。
【００１６】
支持台を有する前記魚類遡上構造において、前記支持台を前記水路部材と別体に形成し、該支持台を水路部材に後付けすることがある。該後付けされる支持台は、所要高さの支持台片を複数段に積重して構成されることがある。
【００１７】
前記水路部材をＵ字溝状に形成する場合、該水路部材の水路の下流側部位に前記堰板を着脱可能に嵌め入れる際、該堰板の外周面の下流端側が、前記水路の下流端の内周面に当接し、該堰板の下流側の面が前記水路部材の下流端面と面一となるように構成するのがよい。
【００１８】
本発明に係る魚類遡上構造の他の態様は、排水路と、該排水路の水位よりも高い水位を有する貯水池に魚類を遡上させるための魚道を含み、該魚道を、水路部材の複数を順次接合して構成した貯水池への魚類遡上構造であって、前記水路部材は、上端開放で且つ周方向の壁部で閉じられた有底の箱状に形成されると共に、該壁部の上流側部の所要部位と下流側部の所要部位に、上流側開口と下流側開口が設けられており、上流側に設置された水路部材の前記下流側開口が、下流側に設置された水路部材の前記上流側開口に連通するように水路部材相互が接合され、該両開口の連通部分に、水路水を嵩上げする堰板が着脱可能に装着されている。又、最上流側に設置された前記水路部材の上流側開口が前記貯水池に連通され、且つ最下流側に設置された前記水路部材の下流側開口が前記排水路に連通されており、前記堰板の越流部を、下流側の水位に対して魚類が遡上可能な高さに設定したことを特徴とするものである。
【００１９】
前記魚類遡上構造において、上端開放で且つ周方向の壁部で閉じられた有底の箱状を呈する前記水路部材の前記上流側開口に、上流側に設置された前記水路部材の下流側部分を挿入し、その挿入量を調節可能となすと共に、前記水路部材の前記下流側開口に、下流側に設置された前記水路部材の上流側部分を挿入し、その挿入量を調節可能となすのがよい。
【００２０】
上端開放で且つ周方向の壁部で閉じられた有底の箱状を呈する前記水路部材を具える前記魚類遡上構造において、該水路部材の水路に、前記上流側開口と前記下流側開口間を仕切るように、水路水を嵩上げする中間の堰板を着脱可能に装着し、該中間の堰板の越流部を、下流側の水位に対して魚類が遡上可能な高さに設定するのがよい。
【００２１】
上端開放で且つ周方向の壁部で閉じられた有底の箱状を呈する前記水路部材を具える前記魚類遡上構造において、該水路部材の水路に、前記上流側開口と前記下流側開口間を複数に仕切るように、水路水を嵩上げする中間の堰板の複数を着脱可能に装着し、該各中間の堰板の越流部を、下流側の水位に対して魚類が遡上可能な高さに設定するのがよい。
【００２２】
上端開放で且つ周方向の壁部で閉じられた有底の箱状を呈する前記水路部材を具える前記各魚類遡上構造において、該水路部材の前記上流側開口と下流側開口は、該両開口を通過する水の流れ方向が屈曲するように前記壁部に設けるのがよい。
【００２３】
前記各魚類遡上構造において、前記越流部の下流側を円弧面に形成するのがよい。又前記各魚類遡上構造において、前記越流部の下流側を１３〜６０度の角度で下方に傾斜する傾斜面に形成するのがよい。
【００２４】
本発明に係る魚類遡上構造のその他の態様は、排水路と、該排水路の水位よりも高い水位を有する水田に魚類を遡上させるための魚道を含む魚類遡上構造であって、該魚道は、水路部材の複数を、前記排水路と前記水田との間をなす畦部の延長方向に順次接合して魚道本体を形成すると共に、該魚道本体を構成するために最下流側に設置された水路部材に設けた下流側開口に、前記排水路に連通され且つ地下埋設されたパイプ状の水路部材の上流側の端部分が接合される一方、前記魚道本体を構成する最上流側に設置された水路部材の上流側開口に、水田に結果的に連通される水路部材の下流側の端部分が接合されており、又、前記魚道本体を構成する前記水路部材の夫々に、水路水を嵩上げする堰板が着脱可能に装着され、該堰板の越流部を、下流側の水位に対して魚類が遡上可能な高さに設定したことを特徴とするものである。
【００２５】
本発明に係る魚類遡上構造のその他の態様は、排水路と、該排水路の水位よりも高い水位を有する水田に魚類を遡上させるための魚道を含む魚類遡上構造であって、該魚道は、水路部材の複数を、前記排水路と前記水田との間をなす畦部の延長方向に順次接合して魚道本体を形成すると共に、該魚道本体を構成するために最下流側に設置された水路部材に設けた下流側開口に、前記排水路に連通され且つ地下埋設されたパイプ状の水路部材の上流側の端部分が接合される一方、前記魚道本体を構成する最上流側に設置された水路部材の上流側開口に、水田に結果的に連通され且つ地下埋設されたパイプ状の水路部材の下流側の端部分が接合されており、又、前記魚道本体を構成する前記水路部材の夫々に、水路水を嵩上げする堰板が着脱可能に装着され、該堰板の越流部を、下流側の水位に対して魚類が遡上可能な高さに設定したことを特徴とするものである。
【００２６】
これらの場合、前記パイプ状水路部材は、例えば円形パイプ状に形成し、又、略水平に配設するのがよい。
【００２７】
前記各魚類遡上構造において、前記堰板に、前記魚道を流れる水に漂う魚類誘導用の紐状物の上端側を取り付けるのがよい。
【００２８】
前記各魚類遡上構造において、前記堰板を、水路部材に着脱可能に装着される堰板本体と該堰板本体に付設されるスライド調整板とから構成し、該堰板本体は、上端開放の切欠部が設けられたものとし、前記スライド調整板は、前記切欠部の下側部分を覆うように前記堰板本体に当接状態に且つ上下方向でスライド可能に付設し、又該スライド調整板の上端を前記越流部とし、該越流部が、下流側の水位に対して魚類が遡上可能な高さとなるように、該スライド調整板の上下方向のスライド状態を調整できるものとし且つ該調整状態で該スライド調整板を前記堰板本体に固定可能とするのがよい。
【００２９】
前記各魚類遡上構造において、前記魚道を遡上する魚類が魚道の外に飛び出すのを防止すると共に、遡上中の魚類が鳥類に捕食されるのを防止するために、魚道の上側を防止ネットや透明被覆材で覆うのがよい。この場合、該防止ネット又は透明被覆材は、前記水路部材に立設状態に設けた支持枠に被せて、前記魚道の上側を覆うように構成するのがよい。
【００３０】
又前記各魚類遡上構造において、前記排水路に、該排水路を流れる水を嵩上げする隔壁を着脱可能に装着し、該隔壁を、前記排水路に着脱可能に装着される隔壁本体と該隔壁本体に付設される調整板とから構成し、該隔壁本体は、上端開放の切欠部が設けられると共に、前記調整板は、前記切欠部の下側部分を覆うように前記隔壁本体に当接状態に且つ上下方向でスライド可能に付設されるものとし、又、該調整板の上端を前記越流部とし、該越流部が、下流側の水位に対して魚類が遡上可能な高さとなるように、該調整板の上下方向のスライド状態を調整でき且つ該調整状態で該調整板を前記隔壁本体に固定可能とするのがよい。
【００３１】
又前記各魚類遡上構造において、前記排水路に、該排水路を流れる水を嵩上げする隔壁を装着し、該隔壁は、前記排水路における水の流れ方向に延長し且つ前記排水路の幅に略等しい幅を有する底板の上流側の端部に前板が立設されると共に、該底板の下流側の端部に後板が立設されてなる洗掘防止ブロックの該前板を以って形成し、該前板の一部分を、下流側の水位に対して魚類が遡上可能な高さに設定された越流部とするのがよい。
【００３２】
この場合、前記隔壁となる前板を、その一部をなす隔壁本体と、該隔壁本体に付設される調整板とから構成し、該隔壁本体は、上端開放の切欠部が設けられると共に、前記調整板は、前記切欠部の下側部分を覆うように前記隔壁本体に当接状態に且つ上下方向でスライド可能に付設されるものとし、又該調整板の上端を前記越流部とし、該越流部が、下流側の水位に対して魚類が遡上可能な高さとなるように、該調整板の上下方向のスライド状態を調整でき且つ該調整状態で該調整板を前記隔壁本体に固定可能とするのがよい。
【００３３】
又前記各魚類遡上構造において、前記排水路に、前記魚道の下流側に位置させて洗掘防止ブロックを配設し、該洗掘防止ブロックは、前記排水路における水の流れ方向に延長し且つ前記排水路の幅に略等しい幅を有する底板の上流側の端部に、該排水路を流れる水を嵩上げする隔壁として機能する前板が立設されると共に、該底板の下流側の端部に後板が立設されたものとし、該前板の一部分を、下流側の水位に対して魚類が遡上可能な高さに設定された越流部とし、且つ前記前板と後板との間をなす空所に濾過材を収容するのがよい。
【００３４】
隔壁が着脱可能に装着された前記魚類遡上構造において、前記越流部の下流側を円弧面に形成するのがよい。又該魚類遡上構造において、前記越流部の下流側を、１３〜６０度の角度で下方に傾斜する傾斜面に形成するのもよい。
前記隔壁を洗掘防止ブロックの前板を以って構成する場合、該前板を、排水路に装着される、上端開放の切欠部が設けられた隔壁本体と、該隔壁本体に付設される調整板とから構成する場合、該切欠部の下流側の縁部分を、１３〜６０度の角度で拡大するように、下流側に向けて傾斜する傾斜面に形成するのがよい。
【００３５】
前記堰板を堰板本体とスライド調整板とで構成する場合、前記切欠部の下流側の縁部分を円弧面に形成するのがよい。或いは、該切欠部の下流側の縁部分を、１３〜６０度の角度で拡大するように、下流側に向けて傾斜する傾斜面に形成するのがよい。
【００３６】
又前記隔壁を隔壁本体と調整板とで構成する場合、前記切欠部の下流側の縁部分を円弧面に形成するのがよい。或いは、該切欠部の下流側の縁部分を、１３〜６０度の角度で拡大するように、下流側に向けて傾斜する傾斜面に形成するのがよい。
【００３７】
排水路が隔壁を具える前記魚類遡上構造において、前記越流部の下側に位置させて水抜き孔を設けるのがよい。
【００３８】
前記各魚類遡上構造において、前記排水路に、その幅方向に適宜間隔で、産卵育成用の水草状紐体を配置するのがよい。この場合、該水草状紐体は、紐状体の一端に重りが設けられると共にその他端に浮きが設けられたものとし、該紐状体を、紐片の周面に５０〜１００ｍｍ程度の長さを有する毛片が多数設けられたものとし、前記重りを前記排水路の底部に設置する。
【００３９】
本発明に係る魚類遡上構造に用いる水路部材（以下水路部材という）は、排水路の水位よりも高い水位を有する貯水池に魚類を遡上させるための魚道を構成する水路部材であって、上端開放で且つ上流端から下流端に向かう連続する水路を有したＵ字溝状に形成されると共に、その上流側の水路幅が拡大され、その下流側をなす接合部の全部又は一部を嵌め入れるための接合嵌合部が形成されており、又前記水路の下流側部位に、水路水を嵩上げする堰板を着脱可能に嵌め入れるためのガイド部が設けられ、又、前記水路の上流側の底部に、上流側に設置された水路部材の前記接合部の下面を下方から支持する支持台が突設されていることを特徴とするものである。
【００４０】
本発明に係る水路部材のより好ましい態様は、排水路の水位よりも高い水位を有する貯水池に魚類を遡上させるための魚道を構成する水路部材であって、上端開放で且つ上流端から下流端に向かう連続する水路を有したＵ字溝状に形成されると共に、その上流側の水路幅が拡大され、その下流側をなす接合部の全部又は一部を嵌め入れるための接合嵌合部が形成されており、又前記水路の下流側部位に、その対向側面と底面に、水路水を嵩上げする堰板を着脱可能に嵌め入れるための嵌入溝が設けられ、又、前記水路の上流側の底部に、上流側に設置された水路部材の前記接合部の下面を下方から支持する支持台が突設されていることを特徴とするものである。
【００４１】
本発明に係る水路部材の他の態様は、排水路の水位よりも高い水位を有する貯水池に魚類を遡上させるための魚道を構成する水路部材であって、上端開放で且つ周方向の壁部で閉じられ、その内部が水路とされた有底の箱状に形成されると共に、該壁部の上流側の所要部位と下流側の所要部位に、上流側開口と下流側開口が設けられ、該上流側開口と下流側開口の内面に、水路水を嵩上げする堰板を着脱可能に嵌め入れるためのガイド部が設けられており、又、前記水路の内面に、前記上流側開口と下流側開口間を仕切るように、水路水を嵩上げする中間の堰板を着脱可能に嵌め入れるためのガイド部が設けられており、前記各堰板の越流部が、下流側の水位に対して魚類が遡上可能な高さに設定されていることを特徴とするものである。
【００４２】
この場合、前記上流側開口と前記下流側開口間を複数に仕切るように、その対向側面と底面に、水路水を嵩上げする中間の堰板の複数を着脱可能に嵌め入れるためのガイド部を設け、前記各堰板の越流部を、下流側の水位に対して魚類が遡上可能な高さに設定するのがよい。
【００４３】
本発明に係る水路部材のその他の態様は、排水路の水位よりも高い水位を有する貯水池に魚類を遡上させるための魚道を構成する水路部材であって、上端開放で且つ周方向の壁部で閉じられ、その内部が水路とされた有底の箱状に形成されると共に、該壁部の上流側の所要部位と下流側の所要部位に、上流側開口と下流側開口が設けられ、該上流側開口と下流側開口の、対向側面と底面に、水路水を嵩上げする堰板を着脱可能に嵌め入れるための嵌入溝が設けられており、又、前記水路の、対向側面と底面に、前記上流側開口と下流側開口間を仕切るように、水路水を嵩上げする中間の堰板を着脱可能に嵌め入れるための嵌入溝が設けられており、前記各堰板の越流部が、下流側の水位に対して魚類が遡上可能な高さに設定されていることを特徴とするものである。
【００４４】
この場合、前記上流側開口と前記下流側開口間を複数に仕切るように、その対向側面と底面に、水路水を嵩上げする中間の堰板の複数を着脱可能に嵌め入れるための嵌入溝を設け、前記各堰板の越流部を、下流側の水位に対して魚類が遡上可能な高さに設定するのがよい。
【００４５】
前記各水路部材において、前記上流側開口と前記下流側開口は、該両開口を通過する水の流れ方向が屈曲するように前記壁部に設けるのがよい。
【００４６】
又前記各水路部材において、前記堰板の越流部の下流側を円弧面に形成するのがよい。或いは、前記堰板の越流部の下流側を、１３〜６０度の角度で下方に傾斜する傾斜面に形成するのがよい。
【００４７】
又前記各水路部材において、前記堰板は、水路部材に着脱可能に装着される堰板本体と該堰板本体に付設されるスライド調整板とから構成し、該堰板本体は、上端開放の切欠部が設けられると共に、前記スライド調整板は、前記切欠部の下側部分を覆うように前記堰板本体に当接状態に且つ上下方向でスライド可能に付設されるものとし、該スライド調整板の上端を前記越流部とし、該越流部が、下流側の水位に対して魚類が遡上可能な高さとなるように、該スライド調整板の上下方向のスライド状態を調整でき且つ該調整状態で該スライド調整板を前記堰板本体に固定可能するのがよい。
【００４８】
【発明の実施の形態】
以下、本発明の実施の形態を図面に基づいて説明する。
〔第１の実施の形態〕
図１において本発明に係る魚類遡上構造１は、河川や湖等に連なる排水路２と、該排水路２の水位よりも高い水位を有する水田３ａとしての貯水池３に魚類を遡上させるための魚道６を含むものである。そして該魚道６は、前記水田３ａと前記排水路２との間をなす畦部５に、水路部材７の複数を直線状に段違いに順次接合して構成されており、排水路２の水位と水田３ａとしての貯水池３の水位間の落差が比較的小さい場合に好都合に対応できる。今、畦部５の幅（図３にＬ１で示す）が約１９００ｍｍで、且つ排水路２の水位と水田３ａの水位間の落差（図２にＬ２で示す）が約６５０ｍｍである場合を想定する。
【００４９】
前記水路部材７は、本実施の形態においては図４〜５に示すように、上端が開放され且つ上流端から下流端に向かう連続した水路９を有したＵ字溝状に形成されており、該水路９の上流端が上流側開口１０とされると共に、下流端が下流側開口１１とされている。又該水路部材７の上流側の部分は、水路幅が拡大されて、該水路部材７の下流側の部分をなす接合部１２を略密接に嵌め入れるための接合嵌合部１３とされている。該水路部材７の主要部の寸法を例示すれば、その全長が約６００ｍｍに設定されると共にその水路深さが約５００ｍｍに設定され、前記上流側の部分の水路幅が約６１０ｍｍに設定され、前記下流側の部分の水路幅が約５００ｍｍに設定されている。
【００５０】
又、前記水路部材７の前記上流側の部分の底部１５には、図５、図７に示すように、その全幅に亘って、上流側に設置された水路部材７の接合部１２の下面１６を下方から支持する支持台１７が突設されている。該支持台１７は、その上面１９が水平面に形成され、その高さは約１００ｍｍに設定されている。且つ、該支持台１７の上面１９と前記水路部材の下面１８との間の距離Ｌ３（図７）が、魚類が遡上可能な水位差に略等しい約１５０ｍｍに設定されている。
【００５１】
又図４〜７に示すように、前記水路部材７の水路９の下流側部位の対向側面２１，２１と底面２２に、水路水を嵩上げし、且つその越流部２４（図４、図９）で水を下流側に向けて越流させる堰板２３を嵌め入れるための嵌入溝２５が連続して設けられている。そして前記水路９の上流側部位には、前記支持台１７に近接する状態で、その上流側部位の対向側面２６，２６と底面２７に、前記貯水池３の水を嵩上げし、且つその越流部２４（図４、図９）で水を下流側に向けて越流させる堰板２３を嵌め入れるための嵌入溝２９が連続して設けられている。
【００５２】
又前記堰板２３には図４に示すように、その上端の中央部に、台形状や円弧状、矩形状、Ｖ字状等をなし且つ下端が前記越流部２４となる越流切欠部３０が設けられている。その形状や幅、深さは、前記魚道６を遡上する魚類の大きさや魚道６を流れる水量等を考慮して、該越流切欠部３０において必要な越流幅や越流水深が得られように設定される。例えば、越流幅が小さく且つ越流水深が浅い場合は、小型魚類は遡上させ得ても大型魚類は遡上させ得ないことになり、限られた魚類しか遡上させ得ないことになる。そこで本実施の形態においては、大型魚類も遡上させ得るように、前記越流切欠部３０を、上端幅Ｌ４が約１５０ｍｍで深さＬ５が約１００ｍｍの台形状に形成している。又前記越流切欠部３０の上端の下流側は、図８に拡大して示すように円弧面２８に形成し、遡上する魚類が引っ掛かりにくくしている。
【００５３】
然して、かかる構成を有する水路部材７を用いて前記魚類遡上構造１を構成するには、図１〜３に示すように、排水路２と水田３ａとの間をなす畦部５を、該排水路２の流れ方向と略直交する直線状の傾斜状態で掘削し、該掘削部３１で、４個の水路部材７，７，７，７を、直線状に段違いに順次接合するのであるが、その際、図７に示すように、下流側に設置された水路部材７ａの前記接合嵌合部１３に、上流側に設置された水路部材７ｂの前記接合部１２を嵌め入れ、該接合部１２を、前記下流側の水路部材７ａの支持台１７に載せ、各水路部材を略水平状態にして設置する。これにより、前記接合部１２の下面１６が前記支持台１７の上面１９に当接し、該接合部１２が接合嵌合部１３に嵌め入れられた状態となる。このようにして水路部材７，７相互を接合すると、前記魚道６が形成される。なお、上流側に設置された水路部材７ｂの接合部を、下流側に設置された水路部材７ａの接合嵌合部１３に嵌め入れる構成を採用するため、水路部材相互の接合部分３２（図７）に特別な漏水対策を施す必要がない。図９は魚道６の拡大斜視図であり、図１０は魚道の拡大断面図である。
【００５４】
前記接合の際、前記接合嵌合部１３に対する前記接合部１２の挿入長さを、前記畦部５の幅と水路部材７の使用個数を考慮して所要に設定し、魚道の全長を、畦部の幅に合わせて適切に調節する。図２、図７においては、前記接合部１２の端部３３が、前記支持台１７よりも下流側に突出し、例えば７ｃｍ程度の重なり代を有し、接合部の該突出した部分３５の下面３６と前記接合嵌合部１３の前記底面１５との間に空隙部３７が形成されている。
【００５５】
そして図２に示すように、最上流側に設置された水路部材７ｃの前記上流側開口１０が前記水田３ａに連通されると共に、最下流側に設置された水路部材７ｄの前記下流側開口１１が、前記排水路２に連通されている。又、各水路部材７に設けられた前記下流側の嵌入溝２５，２５，２５，２５と、最上流側に設置された水路部材７ｃの前記上流側の嵌入溝２９に、前記堰板２３が夫々、着脱可能に嵌め入れられている。
【００５６】
今説明の便宜上、図９、図１０において、前記４個の水路部材を上から順に、第１水路部材７Ａ、第２水路部材７Ｂ、第３水路部材７Ｃ、第４水路部材７Ｄといい、又、前記嵌入溝に嵌め入れられた５枚の堰板を上から順に、第１堰板２３Ａ、第２堰板２３Ｂ、第３堰板２３Ｃ、第４堰板２３Ｄ、第５堰板２３Ｅという。更に、前記堰板により嵩上げされた各水路部材内の貯水を上から順に、第１貯水３９Ａ、第２貯水３９Ｂ、第３貯水３９Ｃ、第４貯水３９Ｄといい、該貯水を溜める部分を第１溜め部４０Ａ、第２溜め部４０Ｂ、第３溜め部４０Ｃ、第４溜め部４０Ｄという。
【００５７】
又前記排水路２は、本実施の形態においては図１〜２、図１１〜１２に示すように、コ字状支持枠４１を所要間隔を置いて並設すると共に、排水路２の長さ方向で隣り合う立上がり片４２，４２間で側板４３を複数段に支持させて構成され、複数段に支持された該側板４３によって水路壁４４が形成されている。そして、隔壁５０（図１〜３、図１１〜１２）によって排水路２の水位が所要に嵩上げされている。
【００５８】
該隔壁５０は、排水路２の勾配や該排水路２を流れる水量に応じて、魚類が排水路２を遡上できるように、所要間隔で設置される。例えば図１〜２に示すように、その両端の縁部分５０ａ，５０ａが、例えば１〜２ｍ間隔で選択されたコ字状支持枠４１の内面に設けられた挿入溝４９（図１）に挿入せしめられ、該隔壁５０によって排水路２の水位を所要に嵩上げし、該隔壁に設けた上端開放の越流切欠部５２で水が下流側に越流するようになされ、該越流切欠部５２の下端としての越流部５４が、下流側の水位に対して魚類が遡上可能な高さ（例えば５０〜１５０ｍｍ）に設定されている。該越流切欠部５２は、排水路２の長さ方向で見て一直線上で並設されることの他、例えば図１１〜１２に示すように千鳥配置で設けられることもある。そして図１１においては、隔壁間のコーナ部分５３に魚類の遊泳場所が形成されている。
【００５９】
又、前記水路壁４４に欠切形成した開口３８に、前記最下流側の水路部材７Ｄの下流側開口１１が連通される。その際、図１０に示すように、該開口３８の底面３８ａと該下流側開口１１の底面４８が略面一状態になされている。
【００６０】
該排水路２は、部分的に、例えば図１２に示すように、一方の水路壁４４ａの一部分が畦側に拡大され、必要に応じ底部も掘り下げられて、魚介類の産卵や生息、避難に適した淀み部分、深み部分が設けられている。又、該拡大した部分４５の底部から上端に亘って、階段状やスロープ状の、適宜凹凸が設けられた傾斜部材４６が配設されており、昆虫類や両生類、爬虫類が該傾斜部材４６を上り下りして排水路２と、畦部表面４７や水田３ａとの間を行き来できるようになされている。なお前記拡大した部分は、双方の水路壁４４，４４に設けられてもよい。
【００６１】
次に、このように構成された魚類遡上構造１の作用を図９〜１０に基づいて説明する。即ち、前記構成の魚道６によるときは、図示しないポンプを介して水田に淡水が供給されると、その水位が、最上流側に設置された前記水路部材７Ａの第１堰板２３Ａによって嵩上げされ、該淡水は、該越流切欠部３０の下端としての前記越流部２４を越流して第１溜め部４０Ａ内に流入する。該第１溜め部４０Ａに流入した水路水は、前記第２堰板２３Ｂによって嵩上げされ、該第２堰板２３Ｂに設けた越流切欠部３０の下端としての越流部２４を越流した水路水が、前記第２溜め部４０Ｂ内に流入する。そして、該第２溜め部４０Ｂに流入された水路水は、前記第３堰板２３Ｃで嵩上げされ、該堰板の越流切欠部３０の下端としての越流部２４を越流して前記第３溜め部４０Ｃ内に流入する。該第３溜め部４０Ｃ内に流入した水路水は、前記第４堰板２３Ｄで嵩上げされ、該堰板の越流切欠部３０の下端としての越流部２４を越流して前記第４溜め部４０Ｄ内に流入する。そして該第４溜め部４０Ｄ内に流入した水路水は、前記第５堰板２３Ｅで嵩上げされ、該堰板の越流切欠部３０の下端としての越流部２４を越流して、前記排水路２内に流出する。
【００６２】
そして、排水路の水位５６と第４貯水３９Ｄの水位５７との間、第４貯水３９Ｄの水位５７と第３貯水３９Ｃの水位５９との間、第３貯水３９Ｃの水位５９と第２貯水３９Ｂの水位６０との間、第２貯水３９Ｂの水位６０と第１貯水３９Ａの水位６１との間に、夫々、魚類が遡上可能な５０〜１５０ｍｍ程度の水位差、例えば１００ｍｍ程度の水位差が設けられている。又、水田の水位６２と、該最上流側の水路部材７Ａにおける水位６１との間にも、７０ｍｍ程度の水位差が設けられている。そして、前記各越流部（越流水深は３０〜５０ｍｍ程度）２４において魚類が遡上できる。
【００６３】
従って本発明に係る魚類遡上構造１によるときは、鮒や鯉、鯰等の魚類を、河川や湖等から排水路２に進入させ、前記隔壁５０の越流切欠部５２を遡上させて前記魚道６が存する場所に至らせることができる。その後、該魚道６を遡上させ得る。具体的には、水面が階段状である前記第４貯水３９Ｄ、第３貯水３９Ｃ、第２貯水３９Ｂ、第１貯水３９Ａに順に遡上させて水田３ａに至らせ、水田で産卵させることができる。これにより水田３ａを、魚類の産卵、繁殖、育成の場として活用でき、自然と共生した稲作を展開できることとなる。
【００６４】
なお図９、図１３に示すように、前記堰板２３の例えば上端側６６に、魚類誘導用の紐状物６７の一端側６８を、ビス止め等の手段で固定したり、該一端側を、堰板２３等に設けた被掛着部に掛着させる等して取り付けるのがよい。取り付けた紐状物６７に魚類誘導の機能をもたせることができる限り、前記上端側６６は、前記越流切欠部３０の下側や、越流切欠部３０の周辺（側方部位等）として設定できる。
【００６５】
該紐状物６７は、魚道６の使用時期が終わった時点における最終処分を考慮し、有機性素材を用いて、例えば荒縄（５〜２０ｍｍ程度の直径のもの）や綿素材等を用いて形成するのが好ましいが、樹脂製とされてもよい。図１４は、該紐状物６７の具体的な一例を示しており、１〜３ｍｍ程度の太さを有する紐片６７ａの周面に５０〜１００ｍｍ程度の長さを有する毛片６７ｂを、放射状に多数に設けてなる。
【００６６】
該紐状物６７は、前記のように、各堰板２３に一端側６８が取り付けられ、その他端６９が、下流側に設置された水路部材に至る程度に、例えば３０〜５０ｃｍ程度と比較的短く長さ設定されることの他、図１０に破線で示すように、一端側６８が最上段の堰板２３Ａに取り付けられて、水田３ａ側から排水路２側にまで垂れ流されるように長さ設定されることもある。或いは、複数の水路部材に亘って垂れ流されるように長さ設定されることもある。
【００６７】
このように取り付けられた該紐状物６７は、自然界の河川における水草のように、水流に乗って、下流側に流れる状態で揺れ動くため、魚類の遡上を誘発できることとなる。
【００６８】
貯水池３が水田である場合、水田への魚類の産卵遡上時期が田植え時期に略合致しているため、この時期において前記堰板２３を装着すると、前記魚道６における一定量の排水を行わせつつ水田の水位を一定に保つことができる。逆に、中干しや稲刈り前等の水位を下げる必要のあるときは（この時期には魚道が必要でない）、図１５に示すように、前記全ての堰板を取り外し、水路６４を通して水田の水を排水路２に排水する。又、このように堰板を取り外すことによって、魚道６の掃除を容易に行うことができる。
【００６９】
又本実施の形態においては、上流側に設置された水路部材の前記接合部１２の下面１６を、下流側に設置された水路部材の前記支持台１７で下方から支持させる構成であり、且つ、各水路部材の下流側部位に堰板２３が装着されているため、図１０、図７に示すように、各水路部材の底部には泥溜め７２が形成される。従ってこの泥溜め７２において、魚道を流下する水路水に含有されている水田からの有機物を沈殿させることができ、排水路２への有機物の流出をそれだけ防止できる。更に、該泥溜め７２に堆積した土から水草等が生え、これが水路水の有機物を捕捉して水質浄化を図ることも期待できる。これ等により河川の汚染防止に寄与できる。又図７に示すように、前記水路部材７の底面部７３を、更には側面部７５を、自然石が露出した面に形成することにより、該自然石面に藻類を繁殖させることが可能になり、水路の底部を、小魚類や底生生物の餌場ともなし得え、その生息場を提供できることとなる。
【００７０】
又水路部材相互を接合するに際して、図２、図７に示すように、接合嵌合部１３内に突出した接合部１２の突出部分の下面３６と接合嵌合部１３の底面１５との間に前記空隙部３７が形成されているため、この場所に藻を生やすことができ、該空隙部３７を、陰を好む底生生物の生息場所となし得、又、稚魚の非難場所ともなし得る。
【００７１】
本実施の形態においては図１６に示すように、魚道６を遡上する魚類が魚道の外に飛び出すのを防止したり、遡上中の魚類が鳥類に捕食されるのを防止するするために、該魚道６の上側を覆うように、支持枠７６を介して、例えば樹脂製の防止ネット７７を取り付けることとしている。該防止ネット７７の網目は、例えば、一辺長が３０ｍｍ程度の菱形に形成される。
【００７２】
前記支持枠７６は、例えば、上下方向で接合された前記４個の水路部材７，７，７，７の夫々に取り付けられるものであり、図１７〜１８に示すように、上端高さが略等しい逆Ｕ字状をなす３本の枠片７９ａ，７９ｂ，７９ｃを間隔を置いて配置すると共に、該３本の枠片の上端水平部８０，８０，８０を、その下面の両側で、２本の直線状連結片８１，８１により一体に連結してなり、前記水路部材７の上流端側に位置する枠片７９ａは、残りの枠片７９ｂ，７９ｃよりも稍幅広に形成されている。そしてこれらの枠片は、例えば、直径１０ｍｍ程度の中空パイプや中実棒材（金属製や樹脂製）を所定長さに切断し、これを逆Ｕ字状を屈曲して形成されており、水路部材７の上端からの最大高さは、例えば３００〜４００ｍｍ程度に設定されている。
【００７３】
かかる構成の支持枠７６を前記水路部材７に取り付けるには、前記幅広の枠片７９ａの両下端部分８２，８２を、該水路部材７の前記接合嵌合部１３の上面の長さ方向の略中央に設けられた支持孔８３，８３に密接に挿入させると共に、中間の枠片７９ｂの両下端部分８２，８２を、前記水路部材７の上面の長さ方向の略中央（前記接合嵌合部１３と前記接合部１２との接続部分）に設けた支持孔８３，８３に密接に挿入させ、又、水路部材７の下流端側に位置する前記枠片７９ｃの両下端部分８２，８２を、前記水路部材７の下流端側の上面に設けた支持孔８３，８３に密接に挿入させて行う。このようにして各支持枠７６を各水路部材に立設状態に取り付けて後、前記防止ネット７７を、これらの支持枠７６，７６，７６，７６の上面部と両側部を覆うように且つ各水路部材７，７，７，７の側面部の上側部分を覆うように被せると、図１６に示すように、魚道６の上側が防止ネット７７で、上に突の半円形蒲鉾状に覆われた状態となる。これらの支持枠７６や防止ネット７７は、魚道の不用時期には取り外すことができる。なお、水路部材７に設ける前記支持孔８３は、便宜上、図１６〜１８においてのみ示している。
【００７４】
図１９〜２０は、Ｕ字溝状に形成された図２１に示す水路部材７を上下方向で順次接合して構成した魚道６を示すものであり、前記実施の形態におけるものとは、水田３ａとしての貯水池３の水を嵩上げする堰板（以下第１の堰板という）２３ａと、水路水を嵩上げする堰板（以下第２の堰板という）２３ｂの構成が異なる。又、該水路部材７の上流側部位に設けた嵌入溝２９の溝幅が若干広く形成されている。
【００７５】
貯水池３の水を嵩上げする前記第１の堰板２３ａは、図２０〜２２に示すように、前記嵌入溝２９に嵌め入れられる堰板本体８５と、該堰板本体８５に付設される落とし込み調整板８６とからなり、該堰板本体８５は、一側に寄せて、上端から前記水路部材７の底面近傍に至る縦長の矩形状切欠部８７（図２２）が設けられている。該矩形状切欠部８７の上端幅Ｌ６は約１５０ｍｍに設定されると共に、該矩形状切欠部の対向側面８９，９０と底面９１に、貯水池３の水を嵩上げする前記落とし込み調整板８６を嵌め入れるための装着溝９２が連続して設けられている。
【００７６】
そして該第１の堰板２３ａの上流側の面の下端部分は、前記支持台１７の下流側の傾斜面９３と当接し得る傾斜面９５として形成されており、該傾斜面９５の上端で上方に延長する面９６は、前記支持台１７の上面１９と直角に交わる。又、前記装着溝９２に嵌め入れられる前記落とし込み調整板８６は、本実施の形態においては、上下高さの異なる２枚を用いている。そして、上段の落とし込み調整板の上端の上側に、図２１に示すような矩形状の越流切欠部３０が形成され、該上端として越流部２４が、下流側の水位に対して魚類が遡上可能な高さ（例えば５０〜１５０ｍｍ）に設定され、該越流部２４における越流水深は、例えば３０〜５０ｍｍ程度に設定される。
【００７７】
又前記第２の堰板２３ｂは、本実施の形態においては図２０〜２１、図２３に示すように、水路部材７の下流側部位に設けられた前記嵌入溝２５に嵌め入れられる堰板本体９７と、該堰板本体９７に当接状態に付設されるスライド調整板９９とからなり、該堰板本体９７は、その外周面１００の上流端側に、前記嵌入溝２５に嵌め入れられる突条部１０１が設けられている。そして、該突条部１０１が前記嵌入溝２５に嵌め入れられた状態で、図２０に示すように、外周面１００の下流端側１０２が前記水路の下流端の内周面１０３に当接し、この状態で、図２０、図２４に示すように、第２の堰板２３ｂの下流側の面１０５が前記水路部材７の下流端面１０６と面一となるように構成されている。
【００７８】
又、前記第１の堰板２３ａにおけると同じ側に稍寄せて、上端幅Ｌ７が約１５０ｍｍで深さが２７０ｍｍ程度の矩形状切欠部１０７が設けられている。本実施の形態においては該矩形状切欠部１０７の周縁部分１０９が、下流側に向けて拡大するように面取りされている。該面取りは、遡上する魚類が該周縁部分に引っ掛かりにくくするために設けられるものであり、その傾斜角度は１３〜６０度程度に、好ましくは３５〜４５度程度に、更に好ましくは４５度程度に設定される。又、該矩形状切欠部１０７の下流側の面１１０の両側において、上下３段で、前記スライド調整板９９をボルト固定するためのインサート１１１，１１１，１１１、１１１，１１１，１１１が埋設されている。
【００７９】
又前記スライド調整板９９は、前記矩形状切欠部１０７を、その上流側又は下流側で覆うことによって（図１９〜２０においては下流側で覆っている）、該スライド調整板９９の上端の上側に、図２１に示すような矩形状の越流切欠部３０を形成するために用いられるものである。そして該上端としての越流部２４は、下流側の水位に対して魚類が遡上可能な高さ（例えば５０〜１５０ｍｍ）に設定されると共に、該越流部２４における越流水深は、３０〜５０ｍｍ程度に設定される。
【００８０】
又、該スライド調整板９９の上端１１２の下流側１０８は、図２３に示すように、例えば１３〜６０度程度に、好ましくは３５〜４５度程度に傾斜する傾斜面に、更に好ましくは４５度程度に傾斜する傾斜面に形成されており、遡上する魚類が引っ掛かりにくくしている。又該スライド調整板９９の両側には、前記インサート１１１に捩じ込まれるボルト１１２を挿通させるための上下に長い調整孔１１３，１１３が設けられている。
【００８１】
図２４は、下２段のインサート１１１，１１１、１１１，１１１を用いてスライド調整板９９を前記堰板本体９７に固定した状態を示すものであり、越流部２４が、下流側の水位に対して５０〜１５０ｍｍ程度に設定されると共に、該越流部２４における越流水深が３０〜５０ｍｍ程度に設定される。又図２５は、上２段のインサート１１１，１１１、１１１，１１１を用いてスライド調整板９９を堰板本体９７に固定した状態を示すものであり、越流部２４の高さと越流水深は前記と同様に設定されている。
【００８２】
なお図２６に示すように、前記スライド調整板９９を付設しないで、矩形状切欠部１０７の下端を越流部２４とすることもある。
【００８３】
なお前記第１、第２の堰板２３ａ、２３ｂは、重量のある例えばコンクリ─ト製とされ、又前記落とし込み調整板８６や前記スライド調整板９９は、例えば木製や樹脂製、金属製等とされる。
【００８４】
図１９は、前記構成を有する第１、第２の堰板２３ａ，２３ｂが装着された水路部材７を用いて構成された魚類遡上構造１を示すものであり、水路部材７，７相互を接合して魚道６を構成する要領は前記と同様である。即ち該魚道６は、排水路２と水田３ａとの間をなす畦部５を、該排水路２の流れ方向と略直交する直線状の傾斜状態で掘削し、該掘削部３１で、３個の水路部材７，７，７を、直線状に段違いに順次接合して構成されている。その際、前記実施の形態におけると同様に、下流側に設置された水路部材の前記接合嵌合部１３に、上流側に設置された水路部材の前記接合部１２を嵌め入れ、該接合部１２を、前記下流側の水路部材７の支持台１７に載せ、各水路部材を略水平にして設置する。これにより、前記接合部１２の下面１６が前記支持台１７の上面１９に当接し、該接合部１２が接合嵌合部１３に嵌め入れられた状態となる。水路部材７，７相互がこのように接合されて前記魚道６が形成されている。
【００８５】
そして図１９に示すように、最上流側に設置された水路部材７ｇの前記上流側開口１０が前記水田３ａに連通されると共に、最下流側に設置された水路部材７ｅの前記下流側開口１１（越流切欠部３０）が、前記排水路２に連通されている。又、各水路部材７に設けられた前記下流側の嵌入溝２５，２５，２５に前記第２の堰板２３ｂが着脱可能に嵌め入れられると共に、最上流側に設置された水路部材７ｇの前記上流側の嵌入溝２９に、前記第１の堰板２３ａが着脱可能に嵌め入れられている。
【００８６】
そして該第１の堰板２３ａ及び第２の堰板２３ｂ，２３ｂ，２３ｂの夫々に関し、前記矩形状切欠部８７，１０７においての越流部２４の高さと越流水深は、前記排水路２と前記水田３ａの水位間の落差Ｌ２と、前記畦部５の幅Ｌ１に応じて、前記落とし込み調整板８６及び前記スライド調整板９９の調整により、魚類の遡上を可能とするように所要に設定されるものである。この設定要領は前記した通りである。
【００８７】
本実施の形態においては、前記第１の堰板２３ａが、水田の土が魚道側に移動するのを防止する土留としても機能する。又、上下に位置する第２の堰板２３ｂ，２３ｂ間に形成された空所１１５及び、最上流側の水路部材７ｇにおける、第１、第２の堰板２３ａ，２３ｂ間の空所１１６に、図１９に散点を付して示すように、濾過材１１７を納めることができる。このように濾過材１１７を納めることにより、水田より越流した水に含まれている汚泥などの微粒子を濾過し、排水路２に流れ込む排水の水質浄化を図ることができる。なお濾過材１１７としては、その最終処分を考慮して、藁や籾殻等の有機性の材質からなるものを用いるのが好ましい。又前記と同様にして、図１９に示すように、各水路部材７に支持枠７６を装着して防止ネット７７を被せるのがよい。又、図９や図１０に示すと同様にして、第１、第２の堰板２３ａ，２３ｂに、水草状の紐状物６７を取り付けるのがよい。図１９は、水田３ａ側から排水路２側にまで垂れ流される長い紐状物６７を取り付けた場合を示している。
【００８８】
図２７は、Ｕ字溝状を呈する前記水路部材７を用いて構成した魚道６のその他の態様を示すものであり、畦の天端１１８や、畦の法面下端と排水路との間を成す畦道１１９に一輪車等を障害無く走行させたい場合に設けられて好都合である。
【００８９】
該魚道６は、図２７〜２８に示すように、４個の水路部材７，７，７，７を、前記畦道６と畦の法面部１２０の境界部分において畦の長さ方向に順次接合して魚道本体１２１を形成するものである。そのために、下流側に設置された水路部材７ｊの前記接合嵌合部１３に、上流側に設置された水路部材７ｋの前記接合部１２を嵌め入れ、該接合部１２を、前記下流側の水路部材７ｊの前記支持台１７に載せ、各水路部材を略水平状態に設置して構成されている。そして最上流側に設置された水路部材７ｍの上流端側の嵌入溝２９と、最下流側に設置された水路部材７ｊの下流端側の嵌入溝２５に、図２７、図３０、図３２に示すように、前記のような矩形状切欠部８７，１０７を有さない端面板１２２，１２３を嵌め入れてなる。又、最下流側の水路部材を除く各水路部材の下流側の嵌入溝２５，２５，２５に、前記第２の堰板２３ｂと同様構成の堰板２３，２３，２３を嵌め入れてなる。そして各堰板の越流切欠部３０は、例えば図２０に示すと同様にして、スライド調整板９９のスライド操作により、所要高さの越流部２４と越流水深が得られるように設定される。
【００９０】
又前記魚道６は、図２７〜３０に示すように、最下流側に位置する水路部材７ｊの、排水路２に面する側の側面部１２５の下端側に、例えば円形孔としての下流側開口１１が設けられており、該下流側開口１１に、前記排水路２に連通される、例えば内径１５０〜２００ｍｍ程度で、長さが畔道幅程度（６０〜２００ｃｍ程度）の塩化ビニール製パイプとして形成され且つ略水平に地下に埋設された水路部材７ｎの上流側の端部分１２７が挿入状態に接合されている。
【００９１】
加えて図２７、図３１〜３２に示すように、最上流側に位置する前記水路部材７ｍの、水田３ａに面する側面部１２９の下端側に、例えば円形孔としての上流側開口１０が設けられており、前記畦の水田側の部位に設けられた枡部材としての水路部材７ｐに連通する、例えば内径１５０〜２００ｍｍ程度の塩化ビニール製パイプとして形成され且つ略水平に地下に埋設された水路部材７ｑの下流側の端部分１３０が挿入状態に接合されている。
【００９２】
該枡部材としての水路部材７ｐは、前記魚道６の一構成要素であり、例えば図３１〜３２に示すように角筒状に構成され、パイプ状をなす前記最上流側に位置する水路部材７ｑの上流側の端部分１３１を挿入状態に接合するための下流側開口１１が、前記魚道本体１２１に面する側面部１３２の下端側に設けられている。そして該枡部材（水路部材）７ｐの水田側は、全体が開口されており、該開口部１３３の対向側面１３５，１３５と底面１３６に、前記水田３ａの水を嵩上げする堰板１３７を嵌め入れるための嵌入溝１３９が連続して設けられている。そして該堰板１３７は、図２２に示す堰板におけると同様にして、堰板本体１３８に設けた矩形状切欠部１３８ａの有する嵌入溝１３８ｂに落とし込み調整板１３８ｃの所要枚数を装着して構成されている。
【００９３】
該魚類遡上構造１によるときは、前記排水路２から前記下側のパイプ状の水路部材７ｎに進入した魚類は、各Ｕ字溝状の水路部材７を、前記堰板２３，２３，２３の越流切欠部３０を通して遡上でき、最上流側に存するＵ字溝状の水路部材７ｍに至る。その後、上に位置するパイプ状の水路部材７ｑ内に進入して前記枡部材（水路部材）７ｐに至り、該枡部材７ｐに設けられた前記堰板１３７の越流切欠部１４０を通して水田３ａに至ることができる。
【００９４】
なお、下に位置するパイプ状の水路部材７ｎの敷設高さは、該水路部材７ｎ内への魚類の進入を容易とするために、該水路部材内が常時満水状態となるように設定するのがよい。なお前記上下のパイプ状水路部材７ｎ，７ｑは、魚類の進入路として機能する他、例えば昼間において、魚類の避難場所としても機能し得る。
【００９５】
なお、前記と同様に設けられる支持枠７６や防止ネット７７、紐状物６７、濾過材１１７は、魚道の不要時期には取り外すことができる。
【００９６】
なお、前記Ｕ字溝状の水路部材を、畦を横断するように接合して魚道本体を形成し、この魚道本体の下流端側にだけ、又は上流端側にだけ、パイプ状の水路部材を接合して魚道を構成する場合もある。
【００９７】
図１９、図３３〜３７は、本発明に係る魚類遡上構造１を構成する排水路２の他の態様を示すものであり、前記と同様構成のコ字状支持枠４１を所要間隔を置いて並設すると共に、排水路２の長さ方向で隣り合う立上がり片４２，４２間で側板４３を複数段に支持させ、複数段に支持された該側板４３によって水路壁４４を形成することとしている。そして、選択されたコ字状支持枠４１の内面に設けられた挿入溝４９に、例えばコンクリート製の隔壁５０の両端の縁部分５０ａ，５０ａを挿入させることにより、排水路２の水位を所要に嵩上げさせている。又該隔壁５０の一方の端部側に、図３４、図３５に示すように、上端開放の矩形状切欠部１４０を設け、調整板１４１を、該矩形状切欠部１４０の例えば上流側の面において、上下方向にスライド可能に当接状態に設けることとし、該調整板１４１の上側に越流切欠部５２を形成している。そして該越流切欠部５２の周縁部分１４２が、下流側に向けて拡大するように面取りされている。なお該越流切欠部５２の開口幅は例えば１５０ｍｍと設定されると共に、深さは例えば１８０ｍｍに設定されている。
【００９８】
又図３６に示すように、前記隔壁５０の上流側の面に、前記矩形状切欠部１４０の両側に位置させて、上下３段に、前記調整板１４１を固定するためのインサート１４３，１４３，１４３、１４３，１４３，１４３を埋設している。
【００９９】
該調整板１４１は、木製、樹脂製又は金属製等として形成されており、横長矩形板状を呈し、その両側に、上下方向に長い調節孔１４４，１４４が設けられている。図１９、図３４、図３７は、上２段のインサート１４３，１４３、１４３，１４３にねじ込まれるボルト１４５を用いて、調整板１４１を隔壁５０に固定した状態を示し、又図０は、下２段のインサート１４３，１４３、１４３，１４３にねじ込まれるボルト１４５を用いて、前記調整板１４１を隔壁５０に固定した状態を示すものである。これらにおいて、排水路２における流水量に応じ、該調整板１４１の上端としての越流部５４が下流側の水位に対して魚類が遡上可能な高さ（例えば５０〜１５０ｍｍ程度の高さに設定され、該越流部５４における越流水深は、例えば３０〜５０ｍｍ程度に設定される。なお流水量によっては、前記調整板を外して、矩形状切欠部１４０の下端を越流部５４とすることもある。
【０１００】
又本実施の形態においては、前記隔壁５０の下端側において、前記矩形状切欠部１４０の下側（例えば、矩形状切欠部１４０の幅方向略中央）と、隔壁の他方の端部側に水抜き孔１４６，１４６を設けている。該水抜き孔１４６は、例えば、５０〜１００ｍｍの直径を有する円形孔（図１９、図３４においては直径５０ｍｍ程度の円形孔）として形成されており、排水路２の水路底１４７（図３７）から、３０〜５０ｍｍ程度浮き上がるように設けられる。そして該水抜き孔１４６は、図３８に示すように、嵌着やネジ込み等の手段によって、栓体１４８で閉塞可能となされている。
【０１０１】
前記矩形状切欠部１４０の下側に設けられた水抜き孔１４６ａ（図１９、図３４、図３７）にあっては、これを開放して水を放出させることにより、前記越流切欠部５２からの落水Ｆ１（図３７）に加えて該水抜き孔１４６ａからの水の放出Ｆ２（図３７）が加わるため、それらの流れを感じて魚類が越流切欠部５２に向けて誘導されやすくなる効果が期待できる。
【０１０２】
又、前記他端側の水抜き孔１４６ｂ（図１９）をも開放させる場合は、該水抜き孔１４６ｂからの水の排出による流れ作用によって、該水抜き孔１４６ｂの周辺において、流水の上側に比較的遅い流れ部分を形成できると共に下側に比較的速い流れ部分を形成でき、これらによって、澱みのある場所と流れのある場所を混在させることができ、魚類の生態環境に適した生育場所を形成できることになる。
【０１０３】
なお前記水抜き孔１４６は、前記スライド式の調整板１４１が最下降位置においても該調整板１４１で覆われることのないように設けられる。
【０１０４】
なお、排水路２における水嵩が予想外の降雨量によって異常に増した場合に、前記水抜き孔１４６を開放して放流させることにより、隔壁５０を取り外さなくても、排水路２の水位を調整できる場合がある。このような目的のために、設ける水抜き孔の数を増やしたり、その径をより大きくすることもある。
【０１０５】
又、魚類や貝類が、前記水抜き孔１４６ａ，１４６ｂを通して隔壁５０の反対側に移動できる効果もある。
【０１０６】
なお本実施の形態においては、図３７に示すように、前記排水路２に適宜間隔で、産卵育成用の水草状紐体１４９を配置することとしている。該水草状紐体１４９は、図３７に示すように、樹脂製の紐状体１５０の一端に、石やコンクリート隗等の重り１５１を設けると共に、その他端に、発泡スチロールや浮袋等の浮き１５２を設けてなる。該紐状物１４９は、直径が１〜３ｍｍ程度の紐片１５３の周面に、長さが５０〜１００ｍｍ程度の長さを有する毛片１５４を、放射状に多数設けた構成を有しており、その長さは、前記排水路２の水深に合わせて、例えば１００〜１３０ｃｍ程度に設定される。かかる構成の水草状紐体１４９は、前記重り１５１を排水路２の水路底１４７に載せて、水路幅方向に適宜間隔で配設され、排水路２の底部分に水草が生えているような状態を形成するもので、魚類の産卵や育成の補助具として機能する。
【０１０７】
例えば図３７に示すように、隔壁５０に設けた越流切欠部５２を通して下流側で落水した場合、該落水によって水路底が洗掘される場合が生ずる。そこで図３９〜４２においては、かかる洗掘を防止し得る機能を具えた洗掘防止ブロック１５６を用いて前記隔壁５０を構成している。
【０１０８】
該洗掘防止ブロック１５６は、例えばプレキャストコンクリート製であり、図３９、図４２に示すように、前記排水路２の幅に略等しい幅を有し、且つ該排水路２の水の流れ方向に延長して設けられた底板１５７の上流側の端部に、隔壁５０として機能する前板１５９を立設すると共に該底板１５７の下流側の端部に後板１６０を立設した、両側端が開放した構成を有しており、該後板１６０の高さは、その上端１６１が水路底１４７と略面一となるように設定されている。なお、該洗掘防止ブロック１５６の前記底板１５７の前後方向の長さは例えば８２０ｍｍに設定されると共に、前板１５９の高さは例えば４４０ｍｍに、又後板１６０の高さは例えば１９０ｍｍに設定されており、前板１５９と後板１６０との間に、７００ｍｍ程度の幅を有する空所１６３が形成されている。
【０１０９】
かかる構成の洗掘防止ブロック１５６は、隔壁５０となる前記前板１５９が、排水路２を構成するコ字状支持枠４１の下流側の面１６４に当接する状態で、下側部分１６５が排水路２の底部に埋設されて設置され、前記洗掘防止ブロック１５６の開放した両端１６６，１６６は、図４２に示すように例えば側板１６７，１６７で塞がれ、或いは土嚢で塞がれる。そして、前記隔壁５０となる前板１５９に、上端開放の矩形状切欠部（約１５０ｍｍの開口幅を有する）１６９が設けられると共に、該矩形状切欠部１６９の両側において、上下３段にインサート１７０が埋設されている。そして、前記と同様に構成されたスライド式の調整板１４１の両側に上下方向で設けられた調整孔１７１，１７１を挿通するボルト１７２を所要のインサート１７０に捩じ込むことによって、該調整板１４１を前板１５９に固定可能となされている。これにより、該調整板１４１の上側に越流切欠部５２を形成でき、前記と同様にして、魚類の遡上を可能とする越流部５４を形成している。
【０１１０】
このように構成した場合は、前記隔壁（前板１５９）５０の下流側に底板１５７が存するため、前記越流切欠部５２を通して落水しても、水路底が該底板１５７で保護されていることから、水路底の洗掘を防止できる。又、越流切欠部５２の下流側に、水路底がより掘り下げられた深み部１７２（図４０）が形成されるため、前記越流切欠部５２を魚類が遡上する際、その深みによって、勢いをつけて容易に遡上できる利点がある。
【０１１１】
加えて、該洗掘防止ブロック１５６の、前板１５９と後板１６０との間の前記空所１６３が泥溜めとなるため、前記魚道６を通して水田から排水路２に流入する等した、肥料成分等の有機物を含んだ微粒土を堆積させ、水質浄化を図り得ることともなる。
【０１１２】
なお、該洗掘防止ブロック１５６の前記空所１６３に、藁や籾殻等の濾過材１７３を収容することにより、排水路２における水質浄化効果を向上させることができる。又本実施の形態においても、前記と同様の機能を有する水抜き孔１４６を、矩形状切欠部１６９の例えば両側に設けている。又前記と同様にして、前記調整板１４１や前記矩形状切欠部１６９の周辺に、魚類誘導用の紐状物６７を取り付けることができる。
【０１１３】
〔第２の実施の形態〕
図４３〜４５は、本発明に係る魚類遡上構造１の他の態様を示すもので、排水路２の水位と、水田３ａとしての貯水池３の水位との間をなす畦部５に、該排水路２から貯水池３に向けて魚類を遡上させるための魚道６を形成するものであり、排水路２の水位と水田３ａとしての貯水池３の水位間の落差が大きい場合に好都合に対応できる。今、畦部５の幅（図４５にＬ１で示す）が約１９００ｍｍで且つ排水路２の水位と水田３ａとしての貯水池３の水位間の落差（図４４にＬ２で示す）が約９００ｍｍである場合を想定する。
【０１１４】
該水路部材７は、図４６〜４７に示すように、上端開放で且つ周方向の壁部１８０で閉じられ、その内部が水路９とされた有底の直方体箱状に構成され、平面視で、長辺長さが約１１００ｍｍ、短辺長さが約６００ｍｍ、上下高さが約８６０ｍｍに設定されている。そして図４７に示すように、一方の長辺側壁部１８０ａの一方の短辺寄り部位に、上端から下端側に至る上下に長い、幅が約３００ｍｍで深さが約６００ｍｍの矩形状の下流側開口１１が設けられると共に、他方の長辺側壁部１８０ｂの他方の短辺寄り部位には、図４６に示すように、前記下流側開口１１と同幅で且つその半分程度の深さを有する正方形状の上流側開口１０が設けられている。
【０１１５】
そして該下流側開口１１の対向する内側面１８１，１８１と底面１８２に、水路水を嵩上げする堰板２３を嵌め込むための嵌入溝１８３が連続して設けられると共に、前記上流側開口１０の対向する内側面１８５，１８５と底面１８６に、水路水を嵩上げする堰板２３を嵌め入れるための嵌入溝１８７が連続して設けられている。又、両長辺側壁部１８０ａ，１８０ｂの中央部には、対向する内側面１８９，１８９と水路部材の底面１９０に、水路水を嵩上げする堰板２３を嵌め入れるための中間の嵌入溝１９１が連続して設けられている。そして、前記各堰板２３には、その上端中央部に、前記と同様の越流切欠部３０が設けられている。
【０１１６】
そして図４５に示すように、上流側に設置された水路部材７の前記下流側開口１１が、下流側に設置された水路部材７の前記上流側開口１０に連通されるように水路部材７，７相互が接合され、該上流側開口１０と下流側開口１１の連通部分において、いずれか一方の開口に設けた嵌入溝に、堰板２３が嵌め入れられて、該堰板の上流側における水路水の嵩上げが行われている。
【０１１７】
然して、前記構成の水路部材７を用いて魚類遡上構造１を構成するには、図４３〜４５に示すように、排水路２と水田３ａとの間をなす畦部５を掘削し、該掘削部で、上から順に３個の水路部材７Ｅ，７Ｆ，７Ｇを略水平状態にして、段違いに順次接合するのであるが、その際、図４３に示すように最下流側に位置する水路部材７Ｇの前記下流側開口１１を、前記と同様構成の排水路２の水路壁４３に設けた開口３８に連通させる。そして図４８に示すように、該開口３８の底面３８ａと前記下流側開口１１の底面４８を略面一状態にする。
【０１１８】
又図４９に示すように、中段に位置する水路部材７Ｆの下流側開口１１の底面４８を、最下流側に設置された前記水路部材７Ｇの前記上流側開口１０の底面１９２と略面一状態にする。
【０１１９】
又図５０に示すように、最上流側に位置する水路部材７Ｅの前記下流側開口１１の底面４８を、中段に位置する水路部材７Ｆの上流側開口１０の底面１９２と略面一状態にする。そして最上流側に設置された水路部材７Ｅの上流側開口１０を前記水田３ａに連通させる。なお、上下隣り合う水路部材７，７相互を例えば図４５に示すアングル部材１９３を用いて連結する。図５１は、魚道６の拡大斜視図である。
【０１２０】
そして図４５に示すように、前記最下流側の水路部材７Ｇにおける下流側開口１１に設けた嵌入溝１８３と前記中間の嵌入溝１９１、前記中段の水路部材７Ｆにおける下流側開口１１に設けた嵌入溝１８３と該水路部材の中間の嵌入溝１９１、又、前記最上流側に設置された水路部材７Ｅにおける下流側開口１１の嵌入溝１８３と該水路部材における中間の嵌入溝１９１、該水路部材における上流側開口１０の嵌入溝１８７の夫々に堰板２３を嵌め入れる。該堰板２３には、前記と同様構成の越流切欠部３０が設けられている。
【０１２１】
今説明の便宜上、図４５及び図４５のＡ−Ａ断面図を示す図５２、図５１において、前記のように嵌め入れられた７枚の堰板を上から順に、第１堰板２３Ｅ、第２堰板２３Ｆ、第３堰板２３Ｇ、第４堰板２３Ｈ、第５堰板２３Ｉ、第６堰板２３Ｊ、第７堰板２３Ｋという。又、前記第２〜７の堰板により嵩上げされた貯水を上から順に、第１貯水３９Ｅ、第２貯水３９Ｆ、第３貯水３９Ｇ、第４貯水３９Ｈ、第５貯水３９Ｉ、第６貯水３９Ｊといい、該貯水を溜める部分を、第１溜め部４０Ｅ、第２溜め部４０Ｆ、第３溜め部４０Ｇ、第４溜め部４０Ｈ、第５溜め部４０Ｉ、第６溜め部４０Ｊという。
【０１２２】
然して、かかる魚類遡上構造１によるときは、水田３ａに供給された水の水位が前記第１堰板２３Ｅで嵩上げされ、その越流切欠部３０から前記第１溜め部４０Ｅに流入する。又、第１溜め部４０Ｅに流入した水は前記第２堰板２３Ｆで嵩上げされてその越流切欠部３０から第２溜め部４０Ｆに流入する。同様にして、該第２溜め部４０Ｆに流入した水は前記第３堰板２３Ｇで嵩上げされてその越流切欠部３０から第３溜め部４０Ｇに流入し、該第３溜め部４０Ｇに流入した水は前記第４堰板２３Ｈで嵩上げされてその越流切欠部３０から第４溜め部４０Ｈに流入し、該第４溜め部４０Ｈに流入した水は前記第５堰板２３Ｉで嵩上げされてその越流切欠部３０から第５溜め部４０Ｉに流入し、該第５溜め部４０Ｉに流入した水は前記第６堰板２３Ｊで嵩上げされてその越流切欠部３０から第６溜め部４０Ｊに流入し、該第６溜め部４０Ｊに流入した水は前記第７堰板２３Ｋで嵩上げされてその越流切欠部３０から前記排水路２内に流出する。そして図５２においては、隣り合う貯水の水位間に、魚類が遡上可能な５０〜１５０ｍｍ程度の水位差、例えば１００ｍｍ程度の水位差を設けられ、又、水田３ａの水位と第１貯水３９Ｅの水位との間にも、同程度の水位差が設けられている。そして、前記した各越流切欠部３０の下端としての越流部（越流水深は、例えば３０〜５０ｍｍ程度）２４において、魚類が遡上できる。
【０１２３】
従って本発明に係る魚類遡上構造１によるときは、鮒や鯉、鯰等の魚類を、河川や湖等から排水路２に進入させ、前記隔壁５０の越流切欠部５２を遡上させて前記魚道６が存する場所に至らせることができる。その後、該魚道６を遡上させ得る。具体的には、水面が階段状である前記第６貯水３９Ｊ、第５貯水３９Ｉ、第４貯水３９Ｈ、第３貯水３９Ｇ、第２貯水３９Ｆ、第１貯水３９Ｅを、前記越流部２４で順に遡上させて、水田３ａに至らせ、水田で産卵させることができる。そして、各堰板２３を取り外すことによって、水田の水を排水路２に円滑に排水できる。
【０１２４】
なお、前記堰板２３の越流切欠部３０の下流側を円弧面に形成し、又、堰板２３に魚類誘導用の紐状物６７を取り付ける構成は、前記実施の形態におけると同様である。そして、水路部材７の底部側に泥溜めを形成でき、これを前記実施の形態におけると同様に機能させ得る。
【０１２５】
前記堰板２３は、排水路２の水位と水田３ａの水位との落差や、畦部の幅に応じた適切な越流部２４を形成できるようにするために、前記実施の形態におけると同様に構成するのがより好ましい。即ち、最上流側に位置する堰板２３として、所要高さの落とし込み調整板８６の所要枚数を装着溝９２に順次に積み上げる構成の図２２に示す第１の堰板２３ａを採用し、それ以外の堰板２３として、図２３に示すような、スライド調整板９９を有する前記第２の堰板２３ｂを採用するのがよい。
【０１２６】
〔第３の実施の形態〕
図５３〜５４は、本発明に係る魚類遡上構造１の水田３ａと排水路２間をなす畦部５の幅（図５４にＬ１で示す）が比較的小さいのに対して、排水路２の水位と水田３ａとしての貯水池３の水位間の落差（図５８にＬ２で示す）が比較的大きい場合に好都合に対応できる。該屈曲した魚道６は、円筒状をなす第１の水路部材７ＨとＵ字溝状をなす第２の水路部材７Ｉの２種類の水路部材を用い、これらの水路部材を所要に接合して形成するものである。今、畦部５の幅が約１７００ｍｍで且つ排水路２の水位と水田３ａの水位間の落差が約５８０ｍｍである場合を想定する。
【０１２７】
前記第１の水路部材７Ｈは、図５５〜５６に示すように、上端開放で且つ周方向の壁部１８０で閉じられた有底の円筒箱状に構成され、平面視で、内径が約９００ｍｍで上下高さが約７２０ｍｍに形成されると共に、その壁部１８０の上流側部の所要部位と下流側部の所要部位に、上流側開口１０と下流側開口１１が設けられている。本実施の形態においては、該上流側開口１０と下流側開口１１は、上端が下端よりも稍拡大した上端開放の矩形状開口として形成され、該両開口１０，１１を通過する水の流れが略直角に屈曲するように設けられている。そして、該上流側開口１０及び下流側開口１１の上端幅は約６１０ｍｍに形成されると共に、該上流側開口１０の深さは約３６０ｍｍに形成され、下流側開口１１の深さはそれよりも稍深く、約５６０ｍｍに形成されている。
【０１２８】
又前記第２の水路部材７Ｉは、図５５、図５７に示すように、Ｕ字溝状に構成されており、その水路の上流端部が上流側開口１０とされると共に下流端部が下流側開口１１とされている。又、水路内面の上流側部位と下流側部位に、その対向側面１９７，１９７と底面１９９に、水路水を嵩上げする堰板２３を嵌め入れるための嵌入溝２０１，２０２が連続して設けられている。本実施の形態においては、その全長が約６００ｍｍに設定されると共にその水路深さが約５００ｍｍに設定されている。
【０１２９】
然して、該第１、第２の水路部材７Ｈ，７Ｉを用いて魚類遡上構造１を構成するには、図５４〜５５に示すように、前記畦部５を所要に掘削し、前記排水路２の延長方向に沿わせて上流側と下流側に、前記第１の水路部材７Ｈを配設する。そして、前記第１の水路部材７Ｈの下流側開口１１に、下流側に略水平状態にして設置された前記第２の水路部材７Ｉの上流側部分２０３を、弾性止水材を介在させて嵌合状態に挿入すると共に、該第２の水路部材７Ｉの下流側開口１１を、前記排水路２の水路壁４４に設けた開口３８に連通させる。
【０１３０】
又、隣り合う第１の水路部材７Ｈ，７Ｈ間を、Ｕ字溝としての前記第２の水路部材７Ｉで繋ぐのであるが、その際、該第２の水路部材７Ｉの下流側部分２０６を、下流側に設置された前記第１の水路部材７Ｈの上流側開口１０に、弾性止水材を介在させて嵌合状態に挿入すると共に、該第２の水路部材７Ｉの上流側部分２０３を、上流側に設置された前記第１の水路部材７Ｈの下流側開口１１に、弾性止水材を介在させて嵌合状態に挿入する。又、上流側に設置された第１の水路部材７Ｈの上流側開口１０に、前記第２の水路部材７Ｉの下流側部分２０６を、同様に嵌合状態に挿入する。そして該第２の水路部材７Ｉの上流側開口１０を水田３ａに連通させる。
【０１３１】
又、前記第２の水路部材７Ｉの夫々において、その上流側の嵌入溝２０１と下流側の嵌入溝２０２に堰板２３，２３を着脱可能に嵌め入れる。これらの堰板２３には越流切欠部３０が設けられている。
【０１３２】
今説明の便宜上、図５４及び図５４のＢ−Ｂ断面図を示す図５８、図５５において、前記のように嵌め入れられた６枚の堰板を上から順に、第１堰板２３Ｌ、第２堰板２３Ｍ、第３堰板２３Ｎ、第４堰板２３Ｐ、第５堰板２３Ｑ、第６堰板２３Ｒという。又、前記第２〜５の堰板により嵩上げされた貯水部を上から順に、第１貯水３９Ｌ、第２貯水３９Ｍ、第３貯水３９Ｎ、第４貯水３９Ｐ、第５貯水３９Ｑといい、該貯水を溜める部分を第１溜め部４０Ｋ、第２溜め部４０Ｌ、第３溜め部４０Ｍ、第４溜め部４０Ｎ、第５溜め部４０Ｐという。
【０１３３】
然して、かかる魚類遡上構造１によるときは、水田３ａに供給された水の水位が前記第１堰板２３Ｌで嵩上げされ、その越流切欠部３０から前記第１溜め部４０Ｋに流入する。又、該第１溜め部４０Ｋに流入した水は前記第２堰板２３Ｍで嵩上げされてその越流切欠部３０から第２溜め部４０Ｌに流入する。同様にして、該第２溜め部４０Ｌに流入した水は前記第３堰板２３Ｎで嵩上げされてその越流切欠部３０から第３溜め部４０Ｍに流入し、該第３溜め部４０Ｍに流入した水は前記第４堰板２３Ｐで嵩上げされてその越流切欠部３０から第４溜め部４０Ｎに流入し、第４溜め部４０Ｎに流入した水は前記第５堰板２３Ｑで嵩上げされてその越流切欠部３０から第５溜め部４０Ｐに流入し、最後に、第５溜め部４０Ｐから前記排水路２内に流出する。そして図５８においては、隣り合う水位間に、魚類が遡上可能な５０〜１５０ｍｍ程度の水位差、例えば１００ｍｍ程度の水位差を設けられている。そして、前記した各越流切欠部３０の下端としての越流部（越流水深は、例えば３０〜５０ｍｍ程度）において、魚類が遡上できる。
【０１３４】
従って本発明に係る魚類遡上構造１によるときは、鮒や鯉、鯰等の魚類を、河川や湖等から排水路２に進入させ、前記隔壁５０の越流切欠部５２を遡上させて前記魚道６が存する場所に至らせることができる。その後、該魚道６を遡上させ得る。具体的には、水面が階段状である前記第５貯水３９Ｑ、第４貯水３９Ｐ、第３貯水３９Ｎ、第２貯水３９Ｍ、第１貯水３９Ｌを前記越流部２４で順に遡上させて、水田３ａに至らせ、水田で産卵させることができる。そして、各堰板２３を取り外すことによって、水田の水を円滑に排水できる。
【０１３５】
なお、前記堰板２３の越流切欠部３０の下流側を円弧面に形成し、又、堰板２３に魚類誘導用の紐状物６７を取り付ける構成は、前記実施の形態におけると同様である。そして、水路部材７の底部側に泥溜めを形成でき、これを、前記実施の形態におけると同様に機能させ得る。
【０１３６】
前記堰板２３は、排水路２の水位と水田３ａの水位との落差や、畦部の幅に応じた適切な越流部２４を形成できるようにするために、前記実施の形態におけると同様に構成するのがより好ましい。即ち、最上流側に位置する堰板２３として、所要高さの落とし込み調整板８６の所要枚数を装着溝９２に順次積み上げる構成の図２２に示す第１の堰板２３ａを採用し、それ以外の堰板２３として、図２３に示すような、スライド調整板９９を有する前記第２の堰板２３ｂを採用するのがよい。
【０１３７】
〔その他の実施の形態〕
本発明は、前記実施の形態で示したものに限定されるものでは決してなく、「特許請求の範囲」の記載内で種々の設計変更が可能であることはいうまでもない。その一例を挙げれば次のようである。
【０１３８】
(1) 本発明に係る魚類遡上構造は、前記した水田の他、休耕田を利用した養魚池、溜め池、親水公園の池等を含む、魚類の遡上を必要とする貯水池に対して応用できる。
【０１３９】
(2) 水路部材が前記したＵ字溝状に構成される場合、その水路内面の下流側部位に装着される堰板は、例えば図２に示すように下流端に装着されるとは限らず、それよりも稍上流側に装着される場合もある。
【０１４０】
(3) 図５９は、Ｕ字溝状をなす水路部材７の他の態様を示すものであり、くの字状に屈曲した構成を有する。そして前記と同様にして接合部１２と接合嵌合部１３が設けられており、該接合部１２が、下流側に設置された他の水路部材７Ａ１の接合嵌合部１３に嵌め入れられると共に、上流側に設置された他の水路部材７Ａ２の接合部１２が前記くの字状水路部材７の接合嵌合部１３に嵌め入れられる。かかる構成のくの字状水路部材７は、例えば、畦部幅が比較的小さいのに対して排水路と水田間の水位差が比較的大きい場合に好都合に用い得る。
【０１４１】
(4) 水路部材７が、上端開放で且つ周方向の壁部１８０で閉じられた有底の箱状に構成される場合、その箱状の形態は、図５１に示す直方体箱状や、図５５に示す円筒箱状に構成されるものには限られない。
【０１４２】
(5) 水路部材７がＵ字溝状に構成される場合、その上流側開口１０と下流側開口１１間を仕切るように、水路水を嵩上げする中間の堰板２３の一枚乃至複数枚が着脱可能に装着されることもある。
【０１４３】
(6) 水路部材７が、上端開放で且つ周方向の壁部で閉じられた有底の箱状を呈する場合、隣り合う貯水部の水位差を適正に設定するために、その水路に、上流側開口と下流側開口間を複数に仕切るように、水路水を嵩上げする中間の堰板の１枚乃至複数枚が着脱可能に装着されることもある。
例えば、水路部材７が図５１に示すような直方体箱状に構成される場合、上流側開口１０と下流側開口１１間を複数に仕切るように、水路水を嵩上げする中間の堰板２３の複数枚が着脱可能に装着されることもある。又、水路部材が図５５に示すような有底の円筒箱状に構成される場合、上流側開口１０と下流側開口１１間を複数に仕切るように、水路水を嵩上げする中間の堰板の１枚乃至複数枚が着脱可能に装着されることもある
【０１４４】
(7) 水路部材７が有底の箱状に構成される場合、貯水池と排水路の水位差が比較的小さい場合は、中間の堰板２３（例えば、図５１に示す直方体箱状を呈する水路部材における中間堰板）を省略することもある。
【０１４５】
(8) 上端開放で且つ周方向の壁部で閉じられた有底の箱状を呈する水路部材の上流側開口１０と下流側開口１１は、例えば図５５に示すように、該両開口１０，１１を通過する水の流れ方向が屈曲するように、前記壁部に設けるのが好ましいが、その屈曲状態は、畦部等の幅や、排水路と貯水池の水位差等を考慮して所要に設定され得る。
【０１４６】
(9) 水路部材７が有底の箱状に構成される場合、上流側開口１０と下流側開口１１の連通部分に、水路水を嵩上げする堰板を着脱可能に装着するとは、該上流側開口１０の内面や下流側開口１１の内面において装着される場合の他、上流側開口１０の近傍部位や下流側開口１１の近傍部位に装着される場合を含むものである。
【０１４７】
(10)堰板を嵌め入れるためのガイド部は、前記のように溝状に形成されることの他、該堰板を対向側で挟むように、間隔を置いた突部間で形成されてもよい。
【０１４８】
(11)最上流側に設置される水路部材における上流側部位に装着される堰板（例えば、図１に示す堰板２３１は省略されることもある
【０１４９】
(12)貯水池３と排水路２間に存する畦部等の幅が比較的小さいのに対して排水路と貯水池間の水位が比較的大きい場合は、魚道６が、図３に一点鎖線で示すように斜めに設けられることもある。
【０１５０】
(13)水路部材７がＵ字溝状に構成される場合、その上流側の水路底部１５に突設される支持台１７は、上流側に設置された水路部材の接合部の下面を下方から安定的に支持できるものであれば、該水路底部１５の全幅に亘って設けられることは必ずしも必要ではない
又該支持台１７は、図６０〜６１に示すように、水路部材７と別体に形成されて水路の底部１５に接着等の手段で固定されることもある。更に該支持台１７は、図６２に示すように、例えば単位高さの支持台片２０７の複数を積み上げて所定の高さに構成されることもある。又支持台１７が水路の底部１５に一体に形成される場合、該支持台１７の高さが低過ぎる場合は、図６３に示すように、別体の補助支持台２０９を該支持台１７に載せることにより、結果的に所要高さの支持台を構成することもある。
又図６４は、水路の底部１５に、水路長さ方向で見て前後に所要間隔を置いて複数の支持台１７を突設した構成を示すものである。同図においては２個の支持台１７ａ，１７ｂを突設している。この場合、上流側に位置する支持台１７ａの高さを、下流側に位置する支持台１７ｂの高さよりも低く設定する。このように構成すると、遡上する魚類の大きさに応じ、上流側に設置された水路部材の水位と下流側に設置された水路部材の水位との間に、魚類の遡上を可能とする所要水位差を設けることができる。遡上する魚類が大型であるときは、該水位差を大きく設定できるため、その場合は、高さのより高い支持台１７ｂを選択して魚類遡上構造を構成できる。これにより、魚道６を構成する水路部材の使用個数を減じ得る経済性がある。
【０１５１】
(14)本発明に係る魚類遡上構造を構成する水路部材７は、前記した上端開放のものとして構成されることの他、例えば樹脂製等のパイプ状を呈するものとして構成されることもある。或いは、パイプ状を呈する水路部材と、上端が開放した水路部材との組み合わせで魚類遡上構造を構成することもある。
【０１５２】
(15)水路部材に堰板を着脱可能に装着する構成は、前記したような嵌入溝に堰板を嵌め入れ可能に構成することの他、水路水を嵩上げできるように着脱可能な各種の構成を採用できる。
【０１５３】
(16)又、前記堰板２３には、前記のような越流切欠部３０を設けない場合があるが、越流切欠部３０を設ける場合は、該越流欠切部を堰板の幅方向中央部に設けるものには限られない。例えば図６５に示すように、該越流切欠部３０を堰板２３の端に寄せ、上下方向で並設された堰板の有する越流切欠部が千鳥配置となるように設けることもある。このように構成するときは、魚道における水の流れを蛇行させて、魚類が遊泳できる淀み部分２１０を形成できることとなる。なお図６５においては、説明の便宜上、越流切欠部３０に斜線を付している。
【０１５４】
(17)前記越流水深は、魚類の遡上状態に応じて設定されるものであり、３０〜５０ｍｍの越流水深を確保できるように構成すれば、各種魚類に応じた必要な越流水深を確保できる。
【０１５５】
(18)前記水路部材に装着される堰板に設けた越流部の下流側を面取りする場合、前記した何れの実施の形態においても、該面取りは、傾斜面としての他、円弧面として形成できる。
このことは、該越流部を、前記堰板に設けた矩形状欠切部の下側部分を覆うように設けられるスライド調整板の上端として形成する場合も同様であり、このように構成する場合は、該欠切部の縁部分を、下流側に向けて拡大するように面取り（傾斜面や円弧面等の面取り）するのがよい。
【０１５６】
(19)前記隔壁に設けた越流部の下流側を面取りする場合、前記した何れの実施の形態においても、該面取りは、傾斜面としての他、円弧面としても形成できる。
このことは、該越流部を、前記隔壁に設けた矩形状欠切部の下側部分を覆うように設けられるスライド式の調整板の上端として形成する場合も同様であり、このように構成する場合は、欠切部の縁部分を、下流側に向けて拡大するように面取り（傾斜面を円弧面等の面取り）するのがよい。
【０１５７】
(20)前記堰板や隔壁に欠切部を設け、該欠切部にスライド調整板やスライド式の調整板を付設して所要の越流部を構成する場合、該欠切部は、前記した矩形状欠切部には限られず、台形状やＶ字状、円弧状等を呈する欠切部としても形成できる。
【０１５８】
(21)前記堰板にスライド調整板を高さ調整可能に設けたり、前記隔壁に調整板を高さ調整可能に設ける手段は、前記のように、スライド調整板やスライド式の調整板の両側に設けた上下に長い調整孔にボルトを挿通させ、該ボルトをインサートに螺合して行う手段の他、公知の各種調整手段を用いて行うことができる。
【０１５９】
(22)前記洗掘防止ブロックは、前記実施の形態においては、開放した両端を側板や土嚢で覆うように構成しているが、底板と一体に設けた側板で該両端を閉じるように構成してもよい。
【０１６０】
(23)前記排水路は、前記コ字状枠を用いて組み立てるものの他、公知の各種構造のものを採用できる。
【０１６１】
(24)Ｕ字溝状の水路部材を接合して構成した魚道本体の上下にパイプ状の水路部材を接合して構成する図２７に示す魚類遡上構造の考え方は、有底の箱状を呈する水路部材を用いて構成する前記第２、第３の実施の形態に係る魚類遡上構造にも応用できる。
【０１６２】
(25)魚道本体１２１にパイプ状の水路部材７を接合して魚道６を構成する場合、該パイプ状の水路部材７の上端を地表に一部露出させる場合もある。図６６は、その一例を示すものであり、該パイプ状の水路部材７を、例えばＵ字溝状をなす上端開放の水路部材本体２２０と、その上端開放部２２１を着脱可能に閉蓋し得る蓋板２２２を以って構成し、該蓋板２２２の閉蓋によってパイプ状の水路部材７を形成している。この場合、図６６に示すように、前記水路部材本体２２０を地下埋設状態とし、前記蓋板２２２を地表に露出状態とすることにより、必要時に該蓋板２２２を取り外すことによって、パイプ状の水路部材７の内部を点検したり清掃することができる。
【０１６３】
(26)前記隔壁５０は、図１に示すように、コ字状支持枠４１の内面に設けられた挿入溝４９に両端の縁部分を挿入して該コ字状支持枠４１に着脱可能に装着されることの他、該コ字状支持枠４１の上流側の側面にネジ止めされることもある。
【０１６４】
(27)前記排水路２に、前記洗掘防止ブロック１５６を配設する場合、該洗掘防止ブロックの底板１５７は、越流部５４を通しての落水によって排水路の水路底の洗掘を防止できる限り、該越流部５４の下流側の近傍部分にのみ設けることがある。
【０１６５】
(28)前記魚道６の上側を覆う防止ネット７７は、透明な塩化ビニルシート等の透明被覆材に変更されることもある。この透明被覆材は、魚道における魚類の遡上を可能とする限り、有色透明の被覆材であってもよい。
【０１６６】
【発明の効果】
本発明は以下の如き優れた効果を奏する
(1) 本発明に係る魚類遡上構造は、排水路と、該排水路の水位よりも高い水位を有する貯水池に魚類を遡上させるための魚道を含んで構成されており、該魚道を、水路部材の複数を順次接合して構成することとし、各水路部材に堰板を着脱可能に装着する構成を採用し、又、該堰板の越流部を、下流側の水位に対して魚類が遡上可能な高さに設定する構成を採用している。
従って発明によるときは、貯水池と排水路との間の平面視で見た幅（畦部等の幅）と、排水路の水位と貯水池の水位との間の落差に応じて、必要個数の水路部材を直線状態や所要の屈曲状態で順次接合し、該水路部材に装着した堰板の越流部の高さと該越流部における越流水深を所要に設定して魚道を形成することにより、魚類を、前記排水路に必要に応じて設けた隔壁の越流部を順次遡上させて、前記魚道が存在する場所にまで至らせることができ、その後、排水路から貯水池に魚類を無理なく遡上させ得ることとなる
排水路と貯水池との間に魚道を形成する前記従来システムにあっては、夫々の施工現場に合わせて、現場打ち施工を主体に構成するものであったため、その施工に多くの手間を要して施工能率が悪く、施工コストの上昇を招く問題があった他、工期が長引く問題があった。特に、落差が大きい場合に該魚道を屈曲状態に形成せんとするときは、現場打ち施工が非常に複雑となって施工性が悪化し、又、施工コストの一層の上昇を招く等の問題を発生させた。又、排水路から貯水池に亘る長さを有する一体成形されたコンクリート製の魚道ブロックを用いて魚道を形成せんとするときは、該魚道ブロックを、施工現場に応じた長さに個別的に設計、製造しなければならず、施工コストが大幅に上昇する問題があった他、該コンクリート製の魚道ブロックは重量が大きくなり、施工現場への搬送が容易でなく、又施工性を悪化させる問題もあった。
これに対して、水路部材の複数を順次接合して、換言すれば、必要個数の水路部材を順次接合して魚道を構成する本発明によるときは、かかる問題点を一挙に解消できる。
又前記堰板は着脱可能であるため、堰板の全てを取り外すことによって、貯水池の水を排水路に円滑に排出させ得ると共に、魚道の掃除も容易である。
【０１６７】
(2) 水路部材に装着する前記堰板の上端部に、台形状やＵ字状、矩形状、Ｖ字状等を呈する越流切欠部を設ける場合は、魚道を流れる水の量が多くないときも、該越流切欠部において、魚類の遡上を可能とする所要水深を確保できることになる。
【０１６８】
(3) 水路部材に設けた上流側開口と下流側開口間を仕切るように、水路水を嵩上げする中間の堰板を水路部材に着脱可能に装着するときは、水路に、中間堰板によって水位差を形成することが可能となるため、排水路と貯水池との落差が大きい場合に、水路部材の使用個数を増すことなく、適切な水位差を有した魚道を経済的に形成できることになる。
該中間の堰板を、所要間隔を置いて複数装着するときは、水路部材の水路を更に区画でき、中間堰板間にも所要の水位差を形成できることになる。
【０１６９】
(4) 上端開放で且つ周方向の壁部で閉じられた有底の箱状を呈する水路部材を用いる場合において、その上流側開口と下流側開口を、該両開口を通過する水の流れ方向が屈曲するように前記壁部に設けるときは、該上流側開口及び下流側開口に他の水路部材の端部分を挿入状態とすることにより、畦部等の幅や、貯水池の水位と排水路の水位との間の落差に応じた適切な屈曲魚道を合理的に構成できることになる。例えば、畦部等の幅が小さくて落差が大きい場合、直線状の魚道では対処できなくても、魚道を屈曲させることにより対処できる利点がある。
【０１７０】
(5) 水路部材の複数を順次接合して構成した魚道本体の、最下流側に位置する水路部材に、排水路に連通され且つ地下埋設されたパイプ状の水路部材を接合する一方、最上流側に位置する水路部材に、水田に結果的に連通されるパイプ状の水路部材の端部を接合する構成を採用する場合は、畦の天端や、畦の法面下端と排水路との間をなす畦道に、一輪車等を障害なく走行させて、農作業の容易化を達成できる利点がある。
又このような構成は、畦部の幅が比較的小さく、排水路の水位と貯水池の水位との間の落差が大きい場合にも、該落差に応じて適切な越流部と越流水深を有する魚道を合理的に構成できる。更にかかるパイプ状の水路部材は、例えば昼間において、魚類の避難場所としても機能させ得る。
【０１７１】
(6) 上端開放で周方向の壁部で閉じられた有底の箱状をなす水路部材を、上端開放の有底の円筒箱状に構成する場合は、例えば直方体箱状を呈する場合とは異なり、壁部に上流側開口と下流側開口を設ける際の位置的制約が少ないため、両開口を通過する水の流れ方向が屈曲するようになすとき、上流側開口と下流側開口を、その屈曲角度に合わせて容易に形成できる利点がある。
【０１７２】
(7) 前記水路部材を、上端が開放したＵ字溝状に形成し、その上流側部分の水路幅を拡大して、水路部材の下流側部分をなす接合部を嵌め入れるための接合嵌合部とし、又、該水路部材の上流側部分の水路の底部に、前記接合部の下面を下方から支持する支持台を突設する構成を採用したときは、以下の如き特別の効果を奏する。即ち、
【０１７３】
▲１▼  前記支持台によって、水路の底部側に淀み場が形成されることになり、そこを、底生生物の生息場となし得る。
【０１７４】
▲２▼  又、前記支持台によって形成された水路の底部側が泥溜めとなり、魚道を流れる汚泥等の微粒土を堆積させ得る。これによって、肥料成分等の有機物を沈殿させることができる。又、堆積土から水草等が生えることによって、水路水中の有機物が捕捉され、水質浄化が図られることにもなる。かかることから、有機物による河川の汚染防止に寄与できる。
【０１７５】
▲３▼  前記接合嵌合部内に挿入された接合部の下側に空隙部を形成でき、この空隙部を、陰を好む底生生物の生息場所となし得、又、稚魚の避難場所ともなし得る。特に、この空隙部の表面側を自然石が露出した面とすることにより、藻類の繁殖を助けて底生生物の良好な餌場となし得る。
【０１７６】
▲４▼  前記支持台が接合部の下面を下方から支持できるため、支持台を定規にして、隣り合う水路部材相互を、所要段差で敷設することが容易となる。
【０１７７】
(8) 前記支持台を水路部材と別体に構成し、該支持台を水路部材に後付けする構成を採用したときは、所要高さの支持台を水路部材に固定することにより、隣り合う水路部材の敷設段差を所要に調節できる利点がある。又、支持台高さの異なる水路部材を一体に形成する場合よりも、水路部材の製造コストの低減を期し得る。
【０１７８】
(9) 支持台を水路部材と一体に形成した場合に、補助支持台を積重して所要高さの支持台を構成したり、水路部材とは別体の支持台を水路部材に後付けしたり、複数個の支持台片を積み重ねて支持台を形成するときは、次のような効果を奏し得る。即ち、魚道を遡上する魚類が大型であるときは、該補助支持台の積重等によって支持台の高さを結果的に高くすることにより、隣り合う水路部材の敷設段差を大きくでき、従って、水路部材の使用個数を減じて魚類遡上構造を経済的に構成できることとなる。
例えば、排水路と貯水池の落差が約６００ｍｍ程度ある場合、前記水路部材の下面と前記支持台の上面間の距離が１５０ｍｍであれば、水路部材を４段に設置して対処しなければならないのに対し、この距離が２００ｍｍであれば、３段の水路部材で対処できることとなる。
【０１７９】
(10)更に、このように支持台を設ける場合、該支持台を、水路の長さ方向の前後に設け、上流側に位置する支持台を、下流側に位置する支持台よりも低く構成するときは、支持台の選択によって、隣り合う水路部材の敷設段差を変更できる利点がある。
【０１８０】
(11)前記水路部材の底面部を、更には側面部を、自然石が露出した面に形成することにより、該自然石面に藻類を繁殖させることが可能になり、水路の内面部を、小魚類や底生生物の餌場ともなし得る。
【０１８１】
(12)前記堰板を、欠切部が設けられた堰板本体と、該欠切部の下側部分を覆うように付設されたスライド調整板とにより構成する場合は、該スライド調整板の上下方向の高さ調節により、該スライド調整板の上端としての越流部の高さを、貯水池の水位と排水路の水位との間の落差に応じて、下流側の水位に対して魚類が遡上可能な適切な高さに設定することが容易である。
前記堰板として、例えば図４に示すように、欠切部が設けられた板体のみを以って形成する場合は、カッター等でカットして欠切部の深さを深くする等の現場調整が必要となるのであるが、スライド調整板を用いる場合は、このような面倒な調整を何ら要さず、越流部の高さ調整を簡易且つ確実に行い得る利点がある。
【０１８２】
(13)水路部材をＵ字溝状に構成する場合において、下流側部位に着脱可能に装着される堰板を、その下流側の面が水路部材の下端面と面一に形成する場合は、魚道を遡上する魚類が水路部材の下端の角部分に引っ掛かって傷つくのを防止できる。
【０１８３】
(14)排水路に着脱可能に装着する隔壁を、欠切部が設けられた隔壁本体と、該欠切部の下側部分を覆うように付設されるスライド式の調整板とにより構成する場合も、排水路の水嵩に応じて、魚類の遡上を可能とする越流部の高さを簡易且つ確実に調整できる利点がある。
【０１８４】
(15)排水路に装着される堰板に、その越流部の下側に位置させて水抜き孔を設ける場合は、該水抜き孔を開放して水を放出させることにより、越流部における落水に加えて水抜き孔からの水の放出が加わるため、それらの流れを感じて魚類が越流部（越流欠切部）に向けて誘導されやすくなる効果を期待できる。
【０１８５】
(16)排水路に設ける隔壁を、底板の前後に前板と後板を立設してなる洗掘防止ブロックの該前板を以って構成する場合は、越流部（越流欠切部）を通して落水しても、排水路の水路底が該底板で保護されていることから、水路底の洗掘を防止できる。又、越流欠切部の下流側に、水路底がより掘下げられた深み部が形成されるため、越流欠切部を魚類が遡上する際、その深みによって、勢いを付けて容易に遡上できる利点がある。更に、該洗掘防止ブロックの前板と後板との間をなす空所が泥溜めとなるため、魚道を通して水田から排水路に流入する等した、肥料成分等の有機物を含んだ微粒土を堆積させ、水質浄化を図り得ることとなる。この場合、前記空所に、藁や籾殻等の濾化材を収容することにより、排水路における水質浄化効果を向上させることができる。
【０１８６】
(17)特に、魚道の下流側に洗掘防止ブロックを設置し、前記空所に濾過材を収容する構成を採用した場合は、前記魚道を通して水田から排水路に流入した肥料成分等の有機物を含んだ微粒土を、該濾過材で濾過でき、それだけ排水路の水質浄化を図り得る利点がある。
【０１８７】
(18)魚道の上側を、図１６に示すように防止ネットや透明被覆材で覆う場合は、魚道を遡上する魚類が魚道の外に飛び出すのを防止できると共に、遡上中に魚類が鳥類に捕食されるのを防止できる。
【０１８８】
(19)前記堰板の越流部の下流側を円弧面に形成し、或いは該下流側の部分を、１３〜６０度の角度で下方に傾斜する傾斜面に形成した場合は、該欠切部を遡上する魚類が該越流部の角部分に引っ掛かって傷つくのを防止できる。この場合、傾斜面の傾斜角度を３５〜４５度に設定することにより、このような引っ掛かりをより効果的に防止できる。
このことは、堰板に設けた欠切部をスライド調整板で覆う場合において、該欠切部の下流側の縁部分及びスライド調整板の上端としての越流部の下流側の部分を、前記と同様の円弧面や傾斜面に形成した場合も同様である。
更に、これらのことは、排水路に隔壁を設ける場合において、該隔壁の上端をなす越流部の下流側の部分を同様に形成し、又、該隔壁に欠切部を設け、該欠切部の下側部分をスライド式の調整板で覆う場合において、該調整板の上端をなす越流部の下流側の部分や欠切部の下流側の縁部分を、前記と同様に円弧面や傾斜面に形成した場合も同様である。
【０１８９】
(20)前記堰板に、魚道を流れる水に漂う魚類誘導用の紐状物の上端側を取り付ける場合は、魚道を遡上する魚類を、越流欠切部に効果的に誘導できる利点がある。
【０１９０】
(21)又、排水路の底部に、その幅方向に適宜間隔で水草状紐体を配置する場合は、排水路の底部分に水草が生えているような状態を形成でき、該水草状紐体を、魚類の産卵や育成の補助具として機能させ得る。
【図面の簡単な説明】
【図１】本発明に係る魚類遡上構造を示す全体斜視図である。
【図２】その断面図である。
【図３】その平面図である。
【図４】それに用いる水路部材を堰板と共に示す斜視図である。
【図５】その水路部材を示す斜視図である。
【図６】その水路部材を示す平面図である。
【図７】水路部材相互の接合状態を示す断面図である。
【図８】堰板の構成を越流状態と共に示す断面図である。
【図９】形成された魚道の作用を説明する斜視図である。
【図１０】形成された魚道の作用を説明する断面図である。
【図１１】排水路の構成を説明する部分斜視図である。
【図１２】排水路のその他の構成を説明する部分斜視図である。
【図１３】魚類誘導用の紐状物をその使用状態で示す断面図である。
【図１４】魚類誘導用の紐状物を示す斜視図である。
【図１５】魚道の堰板を取り外して水田の水を排水路に排水する状態を示す斜視図である。
【図１６】魚道を防止ネットで覆った状態を示す斜視図である。
【図１７】水路部材と、防止ネットを支持する支持枠を示す斜視図である。
【図１８】支持枠を水路部材に取り付けた状態を示す断面図である。
【図１９】本発明に係る魚類遡上構造の他の態様を作用と共に示す断面図である。
【図２０】最上流側の水路部材と中間の水路部材の接合状態を示す断面図である。
【図２１】水路部材と、これに装着される堰板を示す斜視図である。
【図２２】最上流側の水路部材の上流端側の堰板を示す分解斜視図である。
【図２３】水路部材の下流側に装着される堰板を示す分解斜視図である。
【図２４】水路部材の下流側に装着された堰板における、スライド調整板の高さ調整状態の一例を示す斜視図である。
【図２５】水路部材の下流側に装着された堰板における、スライド調整板の高さ調整状態の他の例を示す斜視図である。
【図２６】スライド調整板が取り外された堰板の装着状態を示す断面図である。
【図２７】本発明に係る魚類遡上構造の他の態様を示す平面図である。
【図２８】その断面図である。
【図２９】その魚類遡上構造における、最下流側の水路部材と排水路との接合状態を示す断面図である。
【図３０】その魚類遡上構造における最下流側の構成を説明する斜視図である。
【図３１】その魚類遡上構造における最上流側の構成を説明する断面図である。
【図３２】その魚類遡上構造における最上流側の構成その斜視図である。
【図３３】排水路に隔壁が装着された魚類遡上構造を示す平面図である。
【図３４】その魚類遡上構造における隔壁の越流部分を上流側から見た斜視図である。
【図３５】その魚類遡上構造における隔壁の越流部分を下流側から見た斜視図である。
【図３６】その魚類遡上構造における隔壁の越流部分を分解して示す斜視図である。
【図３７】排水路の底部に水草状の紐体を配置した状態を示す断面図である。
【図３８】排水路の隔壁に設けた水抜孔を閉じた状態を示す断面図である。
【図３９】洗掘防止ブロックを用いて排水路の隔壁を構成した状態を示す斜視図である。
【図４０】その断面図である。
【図４１】その正面図である。
【図４２】その平面図である。
【図４３】本発明に係る魚類遡上構造のその他の態様を説明する全体斜視図である。
【図４４】その断面図である。
【図４５】その平面図である。
【図４６】それに用いる水路部材を堰板と共に示す斜視図である。
【図４７】それに用いる水路部材を堰板と共に示す斜視図である。
【図４８】最下流側に設置された水路部材と排水路の連通状態を示す断面図である。
【図４９】中間の水路部材と最下流側の水路部材との接合状態を示す断面図である。
【図５０】最上流側の水路部材と中間の水路部材との接合状態を示す断面図である。
【図５１】形成された魚道を説明する斜視図である。
【図５２】形成された魚道の使用状態を示す断面図である。
【図５３】本発明に係る魚道遡上構造のその他の態様を示す全体斜視図である。
【図５４】その平面図である。
【図５５】形成された魚道を示す斜視図である。
【図５６】それを構成する水路部材を示す斜視図である。
【図５７】それを構成する水路部材を堰板と共に示す斜視図である。
【図５８】形成された魚道の使用状態を示す断面図である。
【図５９】コ字状水路部材をその使用状態で示す平面図である。
【図６０】水路部材のその他の態様を示す分解斜視図である。
【図６１】その部分断面図である。
【図６２】水路部材のその他の態様を示す部分断面図である。
【図６３】水路部材のその他の態様を示す部分断面図である。
【図６４】水路部材のその他の態様を示す部分断面図である。
【図６５】越流欠切部を千鳥状に配置した魚道を示す部分平面図である。
【図６６】パイプ状水路部材の他の態様を示す断面図である。
【図６７】従来の魚類遡上構造を示す斜視図である。
【符号の説明】
１  魚類遡上構造
２  用排水路
３  貯水池
５  畦部
６  魚道
７  水路部材
９  水路
１０  上流側開口
１１  下流側開口
１２  接合部
１３  接合嵌合部
１７  支持台
２３  堰板
２４  越流部
２５  嵌入溝
２９  嵌入溝
３０  越流欠切部
５０  隔壁
５２  越流欠切部
５４  越流部
６７  紐状物
７６  支持枠
７７  防止ネット
８５  堰板本体
８６  落とし込み調整板
８７  矩形状欠切部
９２  装着溝
９５  傾斜面
９７  堰板本体
９９  スライド調整板
１１１  インサート
１１２  ボルト
１１３  調整孔
１４３  インサート
１４４  調整孔
１４６  水抜き孔
１４７  水路底
１５０  紐状体
１５１  重り
１５２  浮き
１５３  紐片
１５４  毛片
１５６  洗掘防止ブロック
１５７  底板
１５９  前板
１６０  後板
１６９  矩形状欠切部
１７０  インサート
１７２  ボルト
１８０  壁部
１８７  嵌入溝
１９１  嵌入溝
２０１  嵌入溝
２０２  嵌入溝
【図１】
0003721455.tif 000002
【図２】
0003721455.tif 000003
【図３】
0003721455.tif 000004
【図４】
0003721455.tif 000005
【図５】
0003721455.tif 000006
【図６】
0003721455.tif 000007
【図７】
0003721455.tif 000008
【図８】
0003721455.tif 000009
【図９】
0003721455.tif 000010
【図１０】
0003721455.tif 000011
【図１１】
0003721455.tif 000012
【図１２】
0003721455.tif 000013
【図１３】
0003721455.tif 000014
【図１４】
0003721455.tif 000015
【図１５】
0003721455.tif 000016
【図１６】
0003721455.tif 000017
【図１７】
0003721455.tif 000018
【図１８】
0003721455.tif 000019
【図１９】
0003721455.tif 000020
【図２０】
0003721455.tif 000021
【図２１】
0003721455.tif 000022
【図２２】
0003721455.tif 000023
【図２３】
0003721455.tif 000024
【図２４】
0003721455.tif 000025
【図２５】
0003721455.tif 000026
【図２６】
0003721455.tif 000027
【図２７】
0003721455.tif 000028
【図２８】
0003721455.tif 000029
【図２９】
0003721455.tif 000030
【図３０】
0003721455.tif 000031
【図３１】
0003721455.tif 000032
【図３２】
0003721455.tif 000033
【図３３】
0003721455.tif 000034
【図３４】
0003721455.tif 000035
【図３５】
0003721455.tif 000036
【図３６】
0003721455.tif 000037
【図３７】
0003721455.tif 000038
【図３８】
0003721455.tif 000039
【図３９】
0003721455.tif 000040
【図４０】
0003721455.tif 000041
【図４１】
0003721455.tif 000042
【図４２】
0003721455.tif 000043
【図４３】
0003721455.tif 000044
【図４４】
0003721455.tif 000045
【図４５】
0003721455.tif 000046
【図４６】
0003721455.tif 000047
【図４７】
0003721455.tif 000048
【図４８】
0003721455.tif 000049
【図４９】
0003721455.tif 000050
【図５０】
0003721455.tif 000051
【図５１】
0003721455.tif 000052
【図５２】
0003721455.tif 000053
【図５３】
0003721455.tif 000054
【図５４】
0003721455.tif 000055
【図５５】
0003721455.tif 000056
【図５６】
0003721455.tif 000057
【図５７】
0003721455.tif 000058
【図５８】
0003721455.tif 000059
【図５９】
0003721455.tif 000060
【図６０】
0003721455.tif 000061
【図６１】
0003721455.tif 000062
【図６２】
0003721455.tif 000063
【図６３】
0003721455.tif 000064
【図６４】
0003721455.tif 000065
【図６５】
0003721455.tif 000066
【図６６】
0003721455.tif 000067
【図６７】
0003721455.tif 000068